(57)【特許請求の範囲】
【請求項１】
プロセッサを備えるコンピュータに実行させ、モバイルバッテリーのレンタルサービスを提供するためのプログラムであって、
前記レンタルサービスは、デザインの異なるモバイルバッテリーをレンタル可能に提供しており、
前記プログラムは、前記プロセッサに、
ユーザが前記デザインを指定する操作を受け付けるステップと、
前記デザインを指定する操作に応答して、ユーザが指定した前記デザインのモバイルバッテリーが貸出可能なレンタルスポットを前記ユーザに提示するステップと、を実行させる、プログラム。
【請求項２】
前記プログラムは、前記プロセッサに、さらに、
前記ユーザから、デザインを指定してモバイルバッテリーを借りるか、デザインを指定せずにモバイルバッテリーを借りるかの選択を受け付けるステップを実行させ、
前記デザインを指定してモバイルバッテリーを借りるための操作を前記ユーザから受け付けた場合に、前記指定したデザインのモバイルバッテリーが貸出可能なレンタルスポットを前記ユーザに提示し、
前記デザインを指定せずにモバイルバッテリーを借りるための操作を前記ユーザから受け付けた場合に、前記モバイルバッテリーのデザインにかかわらず、前記モバイルバッテリーが貸出可能なレンタルスポットを前記ユーザに提示するステップを実行させる、請求項１に記載のプログラム。
【請求項３】
前記ユーザに提示した前記指定したデザインのモバイルバッテリーが貸出可能なレンタルスポットから、前記ユーザが指定したデザインのモバイルバッテリーを前記ユーザに貸し出す、請求項１または２に記載のプログラム。
【請求項４】
前記ユーザに提示したレンタルスポットが貸出可能なモバイルバッテリーから、ユーザのデザインの指定にかかわらず、前記モバイルバッテリーのデザインを抽選して、当選したデザインのモバイルバッテリーをユーザに貸し出す、請求項１に記載のプログラム。
【請求項５】
前記ユーザが利用しているレンタルスポットが貸出可能なモバイルバッテリーから、前記ユーザの情報に基づいてデザインを決定して、当該デザインのモバイルバッテリーをユーザに貸し出す、請求項１に記載のプログラム。
【請求項６】
前記モバイルバッテリーのデザインは、所定ブランドに関連するものであり、
ユーザが、前記ブランドの事業者に関連付けられるレンタルスポットを利用して、当該ブランドに関連するデザインのモバイルバッテリーを借りて又は返却した場合、ユーザに特典を付与する、請求項１から５のいずれかに記載のプログラム。
【請求項７】
前記モバイルバッテリーのデザインは、所定ウェブページへ接続するための通信用情報を含み、
ユーザが、モバイルバッテリーのデザインに含まれる前記通信用情報により、所定ウェブページへ接続する操作を行った場合、前記ユーザに特典を付与する、請求項１から６のいずれかに記載のプログラム。
【請求項８】
所定デザインのモバイルバッテリーを借りたユーザの端末装置において、当該デザインに関連するコンテンツを出力させる、請求項１から７のいずれかに記載のプログラム。
【請求項９】
前記デザインは、広告用の情報であり、
所定デザインのモバイルバッテリーの利用履歴を集計し、集計結果を広告主の端末装置に提供する、請求項１から８のいずれかに記載のプログラム。
【請求項１０】
モバイルバッテリーを借りたユーザから、当該モバイルバッテリーを購入するための操作を受け付けており、当該操作に応答して、当該モバイルバッテリーを当該ユーザの所有物とさせる処理を実行させる、請求項１から９のいずれかに記載のプログラム。
【請求項１１】
前記モバイルバッテリーを購入するための前記操作を、モバイルバッテリーを借りてから所定期間が経過する前において受け付ける、請求項１０に記載のプログラム。
【請求項１２】
プロセッサを備えるコンピュータにより実行され、モバイルバッテリーのレンタルサービスを提供するための方法であって、
前記レンタルサービスは、デザインの異なるモバイルバッテリーをレンタル可能に提供しており、
前記方法は、前記プロセッサが、
ユーザが前記デザインを指定する操作を受け付けるステップと、
前記デザインを指定する操作に応答して、ユーザが指定した前記デザインのモバイルバッテリーが貸出可能なレンタルスポットを前記ユーザに提示するステップと、を実行する、方法。
【請求項１３】
制御部を備える情報処理装置であって、モバイルバッテリーのレンタルサービスを提供するための前記情報処理装置であり、
前記レンタルサービスは、デザインの異なるモバイルバッテリーをレンタル可能に提供しており、
前記制御部は、
ユーザが前記デザインを指定する操作を受け付けるステップと、
前記デザインを指定する操作に応答して、ユーザが指定した前記デザインのモバイルバッテリーが貸出可能なレンタルスポットを前記ユーザに提示するステップと、を実行する、情報処理装置。
【発明の詳細な説明】
【技術分野】
【０００１】
本開示は、プログラム、方法及び情報処理装置に関する。
【背景技術】
【０００２】
スマートフォンなどのモバイル端末の普及に応じて、モバイル端末を使用する時間は長くなる傾向がある。このようなモバイル端末の電池は容量及び駆動時間に上限がある。そのため外出先で充電不足になることは少なくない。外出先でのモバイル端末の電池切れの対策として、持ち運び可能なモバイルバッテリーはある。ただし、充電された状態のモバイルバッテリーを常に携帯することは面倒であり、電池切れのたびに新しいモバイルバッテリーを買うのはコストが高い。
【０００３】
そのため、近年、モバイルバッテリーをレンタルするサービスが提供されている。特許文献１には、モバイルバッテリーレンタルシステムが記載されている。当該モバイルバッテリーレンタルシステは、モバイル端末と、管理サーバと、モバイルバッテリーが収納されるポートと、を有し、モバイルバッテリーを貸し出し、返却可能な地点をユーザに提示する。
【先行技術文献】
【特許文献】
【０００４】
【特許文献１】特開２０１９−０８７１６５号公報
【発明の概要】
【発明が解決しようとする課題】
【０００５】
しかしながら、特許文献１のようなサービスにおけるモバイルバッテリーは、単なる電力を供給するための専用装置に留まっている。
【０００６】
本開示は、ユーザがモバイルバッテリーのレンタルサービスをよりいっそう利用しやすくする技術を提供することを目的とする。
【課題を解決するための手段】
【０００７】
一実施の形態によると、プロセッサを備えるコンピュータに実行させ、モバイルバッテリーのレンタルサービスを提供するためのプログラムが提供される。レンタルサービスは、デザインの異なるモバイルバッテリーをレンタル可能に提供している。プログラムは、プロセッサに、ユーザがデザインを指定する操作を受け付けるステップと、デザインを指定する操作に応答して、ユーザが指定したデザインのモバイルバッテリーが貸出可能なレンタルスポットをユーザに提示するステップと、を実行させる。
【発明の効果】
【０００８】
本開示によれば、ユーザがモバイルバッテリーのレンタルサービスをよりいっそう利用しやすくすることができる。
【図面の簡単な説明】
【０００９】
【図１】モバイルバッテリーレンタルシステム１の全体の構成を示す図である。
【図２】第１の実施の形態のモバイルバッテリーレンタルシステム１を構成する端末装置１０のブロック図である。
【図３】第１の実施の形態のモバイルバッテリーレンタルシステム１を構成するサーバ２０の機能的な構成を示す図である。
【図４】第１の実施の形態のモバイルバッテリーレンタルシステム１を構成するレンタルスポット３０の機能的な構成を示す図である。
【図５】サーバ２０が記憶するユーザ情報データベース２８１、レンタルスポット情報データベース２８２、モバイルバッテリー情報データベース２８３のデータ構造を示す図である。
【図６】第１の実施の形態のモバイルバッテリーレンタルシステム１により、モバイルバッテリーの貸出処理を行う流れの一例を示すフローチャートである。
【図７】第１の実施の形態のモバイルバッテリーレンタルシステム１により、モバイルバッテリーの返却処理を行う流れの一例を示すフローチャートである。
【図８】第１の実施の形態における端末装置１０の画面例の図である。
【図９】第２の実施の形態のモバイルバッテリーレンタルシステム１により、モバイルバッテリーの貸出処理を行う流れの一例を示すフローチャートである。
【図１０】第２の実施の形態における端末装置１０の画面例の図である。
【発明を実施するための形態】
【００１０】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１１】
＜概要＞
以下、モバイルバッテリーのレンタルサービスについて説明する。レンタルサービスは、各地に設置されるレンタルスポットから、モバイルバッテリーをユーザに貸し出す。ユーザは、各地に設置されるレンタルスポットへと移動してモバイルバッテリーを借りる。ユーザは、借りたモバイルバッテリーを、各地に設置されるレンタルスポットのいずれかへ返却する。つまり、ユーザが貸し出しを受けるレンタルスポットと、返却するレンタルスポットとは同一のものとは限らず別々であることもあり得る。
【００１２】
さらに、以下の実施形態では、モバイルバッテリーのデザインをユーザに提示して、ユーザから、レンタルのための操作を受け付ける例を説明する。
【００１３】
例えば、ユーザが、モバイルバッテリーの貸し出しおよび返却を行うレンタルスポットを選ぶことを容易にすることができる。複数のレンタルスポットがユーザに提示される場合に、特定のデザインのモバイルバッテリーを借りることができるレンタルスポットを抽出することで、ユーザは、複数のレンタルスポットのうちいずれのレンタルスポットを利用するかを、借りられるモバイルバッテリーのデザインに基づいて選ぶことができる。
【００１４】
以上のように、ユーザは、モバイルバッテリーのデザインを参照することにより、モバイルバッテリーを、複数のレンタルスポットのいずれから借りるか、いずれに返却するかを判断することが容易になる。
【００１５】
また、モバイルバッテリーのデザインをユーザに提示することにより、ユーザが特定のデザインのモバイルバッテリーを借りるよう動機付けを与えることもできる。例えば、キャラクターデザインが施されたモバイルバッテリーをユーザに提示することにより、当該キャラクターデザインに関心のあるユーザがレンタルサービスを利用するよう動機づけられることがあり得る。これにより、ユーザが、モバイルバッテリーのレンタルサービスを試したことがなくとも、レンタルサービスを試してみるよう促しうることとなり、レンタルサービスの利用機会を増やし得る。
【００１６】
＜第１の実施の形態＞
以下、ユーザが借りたいデザインを指定して、当該デザインのモバイルバッテリーを貸し出し、返却するためのモバイルバッテリーレンタルシステム１について説明する。以下の説明では、例えば、端末装置１０がサーバ２０へアクセスすることにより、サーバ２０が、端末装置１０で画面を生成するための情報を応答する。端末装置１０は、サーバ２０から受信した情報に基づいて画面を生成し表示する。
【００１７】
＜１  モバイルバッテリーレンタルシステム１の全体構成＞
図１は、モバイルバッテリーレンタルシステム１の全体の構成を示す図である。
【００１８】
モバイルバッテリーレンタルシステム１は、ユーザの操作に応じて、モバイルバッテリーをユーザにレンタルするためのシステムである。図１に示すように、モバイルバッテリーレンタルシステム１は、端末装置１０と、サーバ２０と、レンタルスポット３０とを含む。なお、図示していないが、レンタルスポット３０は複数あり、各地に設置されている。端末装置１０、サーバ２０及びレンタルスポット３０は、ネットワーク８０を介して相互に通信可能に接続されている。ネットワーク８０は、有線または無線ネットワークにより構成される。
【００１９】
端末装置１０は、例えば、スマートフォン、タブレット等、各ユーザが操作し、移動体通信システムに対応した携帯端末である。この他に、端末装置１０は、例えばゲーム専用機、ウェアラブルデバイス、ＰＣ（Personal  Computer）等であるとしてもよい。
【００２０】
端末装置１０は、ネットワーク８０を介してサーバ２０及びレンタルスポット３０と通信可能に接続される。端末装置１０は、５Ｇ、ＬＴＥ（Long Term Evolution）などの通信規格に対応した無線基地局、ＩＥＥＥ（Institute of Electrical and Electronics Engineers）８０２．１１などの無線ＬＡＮ（Local Area Network）規格に対応した無線ＬＡＮルータ等の通信機器と通信することによりネットワーク８０に接続される。
【００２１】
サーバ２０は、各ユーザの情報、及び、各レンタルスポットの情報を管理する装置である。サーバ２０は、ネットワーク８０に接続されたコンピュータである。
【００２２】
図１に示すように、サーバ２０は、通信ＩＦ２２と、入出力ＩＦ２３と、メモリ２５と、ストレージ２６と、プロセッサ２９とを備える。
【００２３】
通信ＩＦ２２は、サーバ２０が外部の装置と通信するため、信号を入出力するためのインタフェースである。入出力ＩＦ２３は、ユーザからの入力操作を受け付けるための入力装置、および、ユーザに対し情報を提示するための出力装置とのインタフェースとして機能する。メモリ２５は、プログラム、および、プログラム等で処理されるデータ等を一時的に記憶するためのものであり、例えばＤＲＡＭ（Dynamic Random Access Memory）等の揮発性のメモリである。ストレージ２６は、データを保存するための記憶装置であり、例えばフラッシュメモリ、ＨＤＤ（Hard Disc Drive）である。プロセッサ２９は、プログラムに記述された命令セットを実行するためのハードウェアであり、演算装置、レジスタ、周辺回路などにより構成される。
【００２４】
レンタルスポット３０は、複数のモバイルバッテリーを収容して、モバイルバッテリーのレンタルサービスを提供する装置である。例えば、レンタルスポット３０は、（ｉ）鉄道駅、空港、高速道路のサービスエリア等の、不特定多数の人が各地へ移動する際に利用する施設に設置される。よって、レンタルスポット３０は、旅行客等に利用され得る。これに限らず、レンタルスポット３０は、（ｉｉ）ショッピングモール、商業ビル等の商業施設、（ｉｉｉ）飲食店、コンテンツを記録した記録媒体をレンタルする店舗等のサービス提供店舗、（ｉｖ）コンビニエンスストア、書店、雑貨店等の小売店舗、（ｖ）公共施設、（ｖｉ）観光地等に設置してもよい。例えば、レンタルスポット３０は、商業施設で買い物をすることと、サービスの提供を受けること等を目的として来訪した顧客によって利用され得る。
【００２５】
レンタルスポット３０は、様々なデザインのモバイルバッテリーを収容する。なお、特段のデザインが施されていないモバイルバッテリーもレンタルスポット３０に収容される。当該デザインとしては、美感を起こさせる模様もしくは色彩、キャラクタの画像、コンテンツに関連する画像（例えば、コンテンツのタイトルを示す画像、コンテンツが映像により構成される場合に特定の場面を示す画像など）、所定ブランドのロゴマーク、又は広告情報（イベントの告知、クーポンなど割引で製品またはサービスが提供できることの申し出など）などが挙げられる。
【００２６】
図１に示すように、レンタルスポット３０は、蓄電池３１Ａと、発電パネル３１Ｂと、通信ＩＦ（Interface）３２と、入力装置３３と、出力装置３４と、メモリ３５と、記憶部３６と、バッテリー収容部３７と、レンタル処理実行部３８と、プロセッサ３９とを備える。また、図示していないが、レンタルスポット３０は、電源装置等を有する。
【００２７】
蓄電池３１Ａは、電気を蓄えるための装置であり、二次電池、バッテリーとも称される。蓄電池３１Ａに電気エネルギーを蓄えておくことにより、災害等により電力系統に異常が発生して電力系統からの電力の供給が困難となった場合等において、レンタルスポット３０を、非常時の電源として機能させることができる。
【００２８】
発電パネル３１Ｂは、太陽光発電パネル等であり、発電した電気エネルギーを蓄電池３１Ａに蓄えさせる。
【００２９】
なお、レンタルスポット３０は、蓄電池３１Ａ、発電パネル３１Ｂのように、非常時に備えて電力を蓄えておくための機構を有さず、送電設備等から電力の供給を受けて動作させることとしてもよい。レンタルスポット３０が有する貸し出し対象のモバイルバッテリーについて、災害時等の緊急事態が発生した際に、レンタルスポット３０が鍵による開錠等を受け付けて、保持するモバイルバッテリーを、災害等が発生した場合に提供できることとしてもよい。
【００３０】
通信ＩＦ３２は、レンタルスポット３０が外部の装置と通信するため、信号を入出力するためのインタフェースである。例えば、レンタルスポット３０がビーコン信号を出力する場合に、ビーコン信号に応答した端末装置１０と通信ＩＦ３２を介して通信し、端末装置１０から信号を受信する。
【００３１】
入力装置３３は、ユーザからの入力操作を受け付けるための入力装置（例えば、タッチパネル、タッチパッド、マウス等のポインティングデバイス、物理的なボタン等）である。
【００３２】
出力装置３４は、ユーザに対し情報を提示するための出力装置（ディスプレイ、スピーカ等）である。
【００３３】
例えば、レンタルスポット３０は、貸出可能なモバイルバッテリーに関する情報、レンタル処理を行うためのＱＲコード（登録商標）、プロモーション情報、広告などをユーザに提示しつつ、ユーザからモバイルバッテリーを借りて又は返すための操作を受け付けるためのタッチスクリーンを備える。
【００３４】
メモリ３５は、プログラム、および、プログラム等で処理されるデータ等を一時的に記憶するためのものであり、例えばＤＲＡＭ（Dynamic Random Access Memory）等の揮発性のメモリである。
【００３５】
記憶部３６は、データを保存するための記憶装置であり、例えばフラッシュメモリ、ＨＤＤ（Hard Disc Drive）である。
【００３６】
バッテリー収容部３７は、複数のモバイルバッテリーを収容するための複数の空間であり、例えば、１つのバッテリー収容部３７に１つのモバイルバッテリーを収容している。また、バッテリー収容部３７は、モバイルバッテリーを送り出し又は取り込むためのガイドレール、および、貸し出されていないモバイルバッテリーが意図せず取り出されることを防止するためのロック機構等を有してよい。例えば、バッテリー収容部３７は、レンタルスポット３０の筐体の外面において、モバイルバッテリーの装着を受け付けるための１または複数の挿入口として構成されている。当該挿入口にモバイルバッテリーを差し込むことで、モバイルバッテリーをレンタルスポット３０に収容して充電する。
【００３７】
レンタルスポット３０は、バッテリー収容部３７の各挿入口のいずれにモバイルバッテリーが収容されているか、各挿入口のモバイルバッテリーの充電度合を管理している。レンタルスポット３０またはサーバ２０等は、挿入口にモバイルバッテリーが収容され、充電度合が一定以上（例えば、満充電のもの）である場合に、当該モバイルバッテリーを、貸し出し可能な数としてカウントする。よって、バッテリー収容部３７の各挿入口にモバイルバッテリーが挿入されている数よりも、貸し出し可能な数のほうが少ないことがあり得る。
【００３８】
レンタルスポット３０は、各挿入口のうちモバイルバッテリーが収容されていない挿入口の数を管理している。レンタルスポット３０またはサーバ２０等は、当該収容されていない挿入口の数を、レンタルスポット３０においてモバイルバッテリーの返却を受け付けることができる数としてカウントする。
【００３９】
レンタル処理実行部３８は、プロセッサ３９の制御により、貸出時にロック機構を解除すること、モバイルバッテリーをバッテリー収容部３７から送り出すこと等の、レンタルバッテリーの貸し出し時の動作を行う。また、レンタル処理実行部３８は、モバイルバッテリーの返却時にモバイルバッテリーをバッテリー収容部３７に取り込むこと、モバイルバッテリーを取り込むことに応答してロック機構を有効にすること等の、レンタルバッテリーの返却時の動作を行う。これにより、レンタルスポット３０は、ユーザに対し、モバイルバッテリーのレンタルサービスを提供する。
【００４０】
プロセッサ３９は、プログラムに記述された命令セットを実行するためのハードウェアであり、演算装置、レジスタ、周辺回路などにより構成される。
【００４１】
＜１．１  端末装置１０の構成＞
図２は、実施の形態１のモバイルバッテリーレンタルシステム１を構成する端末装置１０のブロック図である。図２に示すように、端末装置１０は、複数のアンテナ（アンテナ１１１、アンテナ１１２）と、各アンテナに対応する無線通信部（第１無線通信部１２１、第２無線通信部１２２）と、操作受付部１３０（タッチ・センシティブ・デバイス１３１およびディスプレイ１３２を含む）と、音声処理部１４０と、マイク１４１と、スピーカ１４２と、位置情報センサ１５０と、カメラ１６０と、記憶部１７０と、制御部１８０とを含む。端末装置１０は、図２では特に図示していない機能及び構成（例えば、電力を保持するためのバッテリー、バッテリーから各回路への電力の供給を制御する電力供給回路など）も有している。図２に示すように、端末装置１０に含まれる各ブロックは、バス等により電気的に接続される。
【００４２】
アンテナ１１１は、端末装置１０が発する信号を電波として放射する。また、アンテナ１１１は、空間から電波を受信して受信信号を第１無線通信部１２１へ与える。
【００４３】
アンテナ１１２は、端末装置１０が発する信号を電波として放射する。また、アンテナ１１２は、空間から電波を受信して受信信号を第２無線通信部１２２へ与える。
【００４４】
第１無線通信部１２１は、端末装置１０が他の無線機器と通信するため、アンテナ１１１を介して信号を送受信するための変復調処理などを行う。第２無線通信部１２２は、端末装置１０が他の無線機器と通信するため、アンテナ１１２を介して信号を送受信するための変復調処理などを行う。第１無線通信部１２１と第２無線通信部１２２とは、チューナー、ＲＳＳＩ（Received Signal Strength Indicator）算出回路、ＣＲＣ（Cyclic Redundancy Check）算出回路、高周波回路などを含む通信モジュールである。第１無線通信部１２１と第２無線通信部１２２とは、端末装置１０が送受信する無線信号の変復調や周波数変換を行い、受信信号を制御部１８０へ与える。
【００４５】
操作受付部１３０は、ユーザの入力操作を受け付けるための機構を有する。具体的には、操作受付部１３０は、タッチスクリーンとして構成され、タッチ・センシティブ・デバイス１３１と、ディスプレイ１３２とを含む。
【００４６】
タッチ・センシティブ・デバイス１３１は、端末装置１０のユーザの入力操作を受け付ける。タッチ・センシティブ・デバイス１３１は、例えば静電容量方式のタッチパネルを用いることによって、タッチパネルに対するユーザの接触位置を検出する。タッチ・センシティブ・デバイス１３１は、タッチパネルにより検出したユーザの接触位置を示す信号を入力操作として制御部１８０へ出力する。
【００４７】
ディスプレイ１３２は、制御部１８０の制御に応じて、画像、動画、テキストなどのデータを表示する。ディスプレイ１３２は、例えばＬＣＤ（Liquid Crystal Display）や有機ＥＬ（Electro-Luminescence）ディスプレイによって実現される。
【００４８】
音声処理部１４０は、音声信号の変復調を行う。音声処理部１４０は、マイク１４１から与えられる信号を変調して、変調後の信号を制御部１８０へ与える。また、音声処理部１４０は、音声信号をスピーカ１４２へ与える。音声処理部１４０は、例えば音声処理用のプロセッサによって実現される。マイク１４１は、音声入力を受け付けて、当該音声入力に対応する音声信号を音声処理部１４０へ与える。スピーカ１４２は、音声処理部１４０から与えられる音声信号を音声に変換して当該音声を端末装置１０の外部へ出力する。
【００４９】
位置情報センサ１５０は、端末装置１０の位置を検出するセンサであり、例えばＧＰＳ（Global Positioning System）モジュールである。ＧＰＳモジュールは、衛星測位システムで用いられる受信装置である。衛星測位システムでは、少なくとも３個または４個の衛星からの信号を受信し、受信した信号に基づいて、ＧＰＳモジュールが搭載される端末装置１０の現在位置を検出する。
【００５０】
カメラ１６０は、受光素子により光を受光して、撮影画像として出力するためのデバイスである。カメラ１６０は、例えば、カメラ１６０から撮影対象までの距離を検出できる深度カメラである。また、カメラ１６０により、光学読み取り用の情報（バーコードなどの一次元コード、ＱＲコード（登録商標）などの二次元コードを含む）を撮影することにより、撮影画像に基づいて、ＱＲコード（登録商標）等に示される情報を読み取ることができる。
【００５１】
記憶部１７０は、例えばフラッシュメモリ等により構成され、端末装置１０が使用するデータおよびプログラムを記憶する。ある局面において、記憶部１７０は、ユーザ情報１７１を記憶する。
【００５２】
ユーザ情報１７１は、端末装置１０を用いてモバイルバッテリーのレンタルサービスを利用しているユーザの情報である。ユーザ情報としては、ユーザを識別する情報（ユーザＩＤ）、ユーザの名称、モバイルバッテリーレンタルサービスの利用に関する情報（例えば、借りたモバイルバッテリーのＩＤ、借りたモバイルバッテリーのデザイン、貸出日時、貸出スポットＩＤ、返却日時、返却スポットＩＤ、課金金額）等が含まれる。
【００５３】
制御部１８０は、記憶部１７０に記憶されるプログラムを読み込んで、プログラムに含まれる命令を実行することにより、端末装置１０の動作を制御する。制御部１８０は、例えば予め端末装置１０にインストールされているアプリケーションである。制御部１８０は、プログラムに従って動作することにより、入力操作受付部１８１と、送受信部１８２と、データ処理部１８３と、通知制御部１８４と、料金決済部１８６としての機能を発揮する。
【００５４】
入力操作受付部１８１は、タッチ・センシティブ・デバイス１３１等の入力装置に対するユーザの入力操作を受け付ける処理を行う。入力操作受付部１８１は、タッチ・センシティブ・デバイス１３１に対してユーザが指などを接触させた座標の情報に基づき、ユーザの操作がフリック操作であるか、タップ操作であるか、ドラッグ（スワイプ）操作であるか等の操作の種別を判定する。
【００５５】
送受信部１８２は、端末装置１０が、サーバ２０等の外部の装置と、通信プロトコルに従ってデータを送受信するための処理を行う。
【００５６】
データ処理部１８３は、端末装置１０が入力を受け付けたデータに対し、プログラムに従って演算を行い、演算結果をメモリ等に出力する処理を行う。
【００５７】
通知制御部１８４は、ユーザに対し情報を提示する処理を行う。通知制御部１８４は、表示画像をディスプレイ１３２に表示させる処理、音声をスピーカ１４２に出力させる処理、振動をカメラ１６０に発生させる処理等を行う。
【００５８】
料金決済部１８６は、ユーザがモバイルバッテリーのレンタルサービスを利用した履歴に応じて利用料金を決済する処理を行う。
【００５９】
レンタルサービスの利用料金は、ユーザがモバイルバッテリーの利用を開始してからの経過時間（利用時間）に応じて定まることとしてもよい。例えば、利用時間に応じて従量的に課金される料金体系としてもよい。また、利用時間が一定時間に達した場合に、モバイルバッテリーの返却を不要とし、モバイルバッテリーの買い取りの代金をユーザに課すこととしてもよい。つまり、利用時間に応じて、段階的に利用料金が設定されていることとしてもよい。例えば、モバイルバッテリーのレンタルの利用を開始してから第１の時間（数時間内）が経過するまでに返却する場合は、第１の利用料金とし、第１の時間が経過してから第２の時間（例えば、２４時間、４８時間）が経過するまでに返却する場合は、第１の利用料金よりも大きい第２の利用料金とする。利用時間が第２の時間を経過した場合に、モバイルバッテリーの買い取り代金をユーザに課すこととしてもよい（この場合、利用時間の経過に応じて従量的に加算される利用料金（例えば、第２の利用料金）についてはユーザに課さないこととしてもよい）。
【００６０】
決済方法としては、ユーザを特定する情報と関連づけられたプリペイド方式の残高から利用料金を決済するものがある。例えば、レンタルスポット３０においてユーザがモバイルバッテリーを借りる際または返却する際に、当該ユーザの情報が関連づけられたプリペイド方式の残高から、利用料金を差し引く。
【００６１】
また、決済方法としては、ユーザを特定する情報とは関連づけられずＩＣカード等の物理的な記録媒体に残高が記録されるものから利用料金を決済することもあり得る。当該記録媒体は、例えば、ユーザが当該記録媒体をリーダライタ装置に接近させることにより当該記録媒体に電力が供給され、これにより記録媒体からのデータの読み出しおよび書き込みが行われる。なお、ユーザの端末装置１０に、当該記録媒体が搭載されることもあり得る。
【００６２】
例えば、ユーザはモバイルバッテリーのレンタルサービスを利用するため、所定のアプリケーションを端末装置１０にインストールする。そして、端末装置１０は、ユーザから、クレジットカード情報、携帯決済サービス事業者が提供する決済サービス（キャリア決済）に関する情報、またはスマートフォン等を使って利用料金を支払う決済サービス（モバイル決済）に関する情報の登録を受け付ける。モバイルバッテリーレンタルシステム１において端末装置１０は、料金決済部１８６により、ユーザがモバイルバッテリーをレンタルすることに伴う決済処理（例えば、課金処理、特典を付与する処理、返金する処理）を行う。
【００６３】
＜１．２  サーバ２０の機能的な構成＞
図３は、サーバ２０の機能的な構成を示す図である。図３に示すように、サーバ２０は、通信部２０１と、記憶部２０２と、制御部２０３としての機能を発揮する。
【００６４】
通信部２０１は、サーバ２０が外部の装置と通信するための処理を行う。
【００６５】
記憶部２０２は、サ ーバ２０が使用するデータ及びプログラムを記憶する。記憶部２０２は、ユーザ情報データベース２８１と、レンタルスポット情報データベース２８２、モバイルバッテリー情報データベース２８３等を記憶する。
【００６６】
ユーザ情報データベース２８１は、モバイルバッテリーレンタルシステム１における各ユーザの情報を保持するためのデータベースである。詳細は後述する。
【００６７】
レンタルスポット情報データベース２８２は、モバイルバッテリーを収容している各レンタルスポットに関する情報を保持するためのデータベースである。詳細は後述する。
【００６８】
制御部２０３は、サーバ２０のプロセッサがプログラムに従って処理を行うことにより、各種モジュールとして示す機能を発揮する。
【００６９】
受信制御モジュール２０３１は、サーバ２０が外部の装置から通信プロトコルに従って信号を受信する処理を制御する。
【００７０】
送信制御モジュール２０３２は、サーバ２０が外部の装置に対し通信プロトコルに従って信号を送信する処理を制御する。
【００７１】
貸出スポット提示モジュール２０３３は、モバイルバッテリーを貸し出すレンタルスポットに関する情報をユーザに提示する処理を制御する。具体的には、ユーザがモバイルバッテリーのデザインを指定した場合に、貸出スポット提示モジュール２０３３は、端末装置１０の位置情報によって、ユーザから所定範囲内にあり、かつ当該デザインのバッテリーを貸出可能なレンタルスポットの設置場所、各レンタルスポットが貸出可能な当該デザインのモバイルバッテリーの台数をユーザに提示する。また、ユーザがモバイルバッテリーのデザインを指定していない場合に、貸出スポット提示モジュール２０３３は、モバイルバッテリーのデザインにかかわらず、端末装置１０の位置情報によって、ユーザから所定範囲内の各レンタルスポットの設置場所、各レンタルスポットが貸出可能なモバイルバッテリーの台数をユーザに提示する。
【００７２】
デザイン決定モジュール２０３４は、ユーザがモバイルバッテリーのデザインを指定していない場合に、ユーザに貸し出すモバイルバッテリーのデザインを決定する処理を制御する。具体的には、デザイン決定モジュール２０３４は、レンタルスポットが貸出可能な各モバイルバッテリーから、ユーザに貸し出すモバイルバッテリーのデザインをランダムに決定してよいし、ユーザ情報に基づき、ユーザに貸し出すモバイルバッテリーのデザインを決定してもよい。
【００７３】
返却スポット提示モジュール２０３５は、モバイルバッテリーが返却可能なレンタルスポットに関する情報をユーザに提示する処理を制御する。具体的には、返却スポット提示モジュール２０３５は、端末装置１０の位置情報によって、ユーザから所定範囲内の各レンタルスポットの設置場所、各レンタルスポットが返却可能なモバイルバッテリーの台数をユーザに提示する。
【００７４】
また、返却スポット提示モジュール２０３５は、ユーザがモバイルバッテリーの貸し出しを受けている（借りている）場合に、当該モバイルバッテリーのデザインに応じて、所定のレンタルスポットを、返却先として提示する。例えば、返却スポット提示モジュール２０３５は、モバイルバッテリーのデザインを特定する情報に基づいて、当該デザインに関連づけられるレンタルスポットを、返却先の候補としてユーザに提示する。例えば、モバイルバッテリーのデザインが、店舗、施設等に関連するものである場合に（例えば、飲食店舗のブランド名が含まれるデザインを有するモバイルバッテリー）、返却スポット提示モジュール２０３５は、デザインを特定する情報に基づいて、当該店舗、施設に設置されるレンタルスポット３０を特定してユーザの端末装置１０に応答することができる。
【００７５】
＜１．３  レンタルスポット３０の機能的な構成＞
図４は、レンタルスポット３０の機能的な構成を示す図である。図４に示すように、レンタルスポット３０は、通信部３０１と、記憶部３０２と、制御部３０３としての機能を発揮する。
【００７６】
通信部３０１は、レンタルスポット３０が外部の装置と通信するための処理を行う。
【００７７】
記憶部３０２は、レンタルスポット３０が使用するデータ及びプログラムを記憶する。記憶部３０２は、レンタルスポット情報３８１、広告情報３８２、周辺環境情報３８３等を記憶する。
【００７８】
レンタルスポット情報３８１は、当該レンタルスポット３０を識別する情報（レンタルスポットＩＤ）、設置場所の情報、当該レンタルスポット３０が貸出可能または返却可能なモバイルバッテリーの台数、当該レンタルスポット３０が貸出可能なモバイルバッテリーのデザイン、当該レンタルスポット３０のレンタル履歴などの情報を含む。設置場所の情報は、設置場所の名称（建物の名称、店舗の名称など）、住所、電話番号、営業時間、休業日（レンタルスポットを利用できない時間帯）、無線通信のアクセスポイントの有無、分煙化の有無などの情報を含む。
【００７９】
広告情報３８２は、レンタルスポット３０において配信する広告の情報と、広告の配信スケジュールとを含む。レンタルスポット３０は、ディスプレイを有しており、広告の配信スケジュールに従って、ディスプレイに広告を表示させる。
【００８０】
周辺環境情報３８３は、レンタルスポット３０の周辺の環境の情報を含み、例えば、レンタルスポット３０の周辺の交通機関（鉄道、バス等）の運行状況等の情報を含む。
【００８１】
制御部３０３は、レンタルスポット３０のプロセッサがプログラムに従って処理を行うことにより、各種モジュールとして示す機能を発揮する。
【００８２】
受信制御モジュール３０３１は、レンタルスポット３０が外部の装置から通信プロトコルに従って信号を受信する処理を制御する。
【００８３】
送信制御モジュール３０３２は、レンタルスポット３０が外部の装置に対し通信プロトコルに従って信号を送信する処理を制御する。
【００８４】
バッテリー送り出しモジュール３０３４は、モバイルバッテリーの貸出時に、モバイルバッテリーをレンタルスポット３０から送り出す処理（例えば、モバイルバッテリーをバッテリー収容部３７から取り出せるようにロック機構を解除する等）を制御する。
【００８５】
バッテリー取り込みモジュール３０３５は、モバイルバッテリーの返却時に、モバイルバッテリーをレンタルスポット３０に取り込む処理（例えば、当該モバイルバッテリーをレンタルスポット３０において充電できるよう、モバイルバッテリーがバッテリー収容部３７に収容されたことを検出する等）を制御する。
【００８６】
ユーザ認証モジュール３０３６は、レンタルスポット３０がモバイルバッテリーの貸し出しを行う場合、または、モバイルバッテリーの返却を受ける場合に、ユーザの情報を取得する。例えば、レンタルスポット３０は、ユーザの端末装置１０で読み取り可能な二次元コードを表示する。当該二次元コードは、レンタルスポット３０を識別する情報を含む。端末装置１０で当該二次元コードを読み取った読み取り結果（レンタルスポット３０を識別する情報）と、ユーザが貸し出しまたは返却を行うことを示す情報とを、端末装置１０がサーバ２０へ送信する。サーバ２０は、レンタルスポット３０の識別情報に基づいて、当該識別情報を有するレンタルスポット３０と通信し、モバイルバッテリーを貸し出しまたは返却する指示を送信し、レンタルスポット情報データベース２８２を更新する。サーバ２０は、ユーザがモバイルバッテリーを貸し出す操作または返却する操作を行ったことに応答して、レンタルスポット３０に、貸し出しまたは返却の処理を行わせて、レンタルスポット情報データベース２８２のモバイルバッテリーの貸し出し可能台数または返却可能台数を更新する。
【００８７】
非常時動作モジュール３０３７は、災害発生時などの非常時に、レンタルスポット３０が保持するモバイルバッテリーを貸し出し可能にする。例えば、レンタルスポット３０は、電力系統に異常が発生した際等に、一定期間にわたって、モバイルバッテリーの貸し出しを無料で提供することとしてもよい。また、レンタルスポット３０を非常用電源または太陽光発電等により動作させて、災害に関連する情報をディスプレイに表示させることとしてもよい。
【００８８】
＜２  データ構造＞
図５は、サーバ２０が記憶するユーザ情報データベース２８１、レンタルスポット情報データベース２８２、モバイルバッテリー情報データベース２８３のデータ構造を示す図である。
【００８９】
図５に示すように、ユーザ情報データベース２８１のレコードのそれぞれは、項目「ユーザＩＤ」と、項目「ユーザ名」と、項目「属性情報」、項目「レンタルサービス利用履歴」等を含む。
【００９０】
項目「ユーザＩＤ」は、ユーザそれぞれを識別する情報である。
【００９１】
項目「ユーザ名」は、ユーザが設定した名称である。
【００９２】
項目「属性情報」は、ユーザの基本情報を示す情報であり、具体的には、項目「年齢」、「性別」、「住所」等を含む。例えば、ユーザがモバイルバッテリーのレンタルサービスに会員登録する際に、任意に、これらユーザの情報の入力をユーザから受け付けることとしてもよい。また、サーバ２０が、ユーザのＳＮＳアカウントと連動することにより、当該ＳＮＳからユーザの基本情報を取得することとしてもよい。
【００９３】
項目「レンタルサービス利用履歴」は、各ユーザがモバイルバッテリーのレンタルサービスを利用した履歴に関する情報であり、具体的には、項目「貸出履歴」、「返却履歴」、「課金履歴」等を含む。
【００９４】
項目「貸出履歴」は、モバイルバッテリーの貸し出しに関する履歴を示す情報であり、具体的には、（ｉ）モバイルバッテリーをユーザに貸し出した日時、（ｉｉ）ユーザにモバイルバッテリーを貸し出すとき、モバイルバッテリーを送り出すレンタルスポット３０を識別する情報（スポットＩＤ）、ユーザに貸し出したモバイルバッテリーを識別する情報（バッテリーＩＤ）等を含む。
【００９５】
項目「返却履歴」は、モバイルバッテリーの返却に関する履歴を示す情報であり、具体的には、（ｉ）ユーザがモバイルバッテリーを返却した日時、（ｉｉ）ユーザにモバイルバッテリーを返却するとき、モバイルバッテリーを取り込むレンタルスポット３０を識別する情報（スポットＩＤ）、ユーザに返却したモバイルバッテリーを識別する情報（バッテリーＩＤ）等を含む。
【００９６】
項目「課金履歴」は、モバイルバッテリーをレンタルすることにより課金した料金を示す情報である。サーバ２０は、モバイルバッテリーの利用時間、即ち、モバイルバッテリーをレンタルスポット３０からユーザに貸し出した時刻から、モバイルバッテリーがレンタルスポット３０に返却された時刻までの期間の長さに基づいて、課金金額を算出する。ある局面において、サーバ２０は、ユーザが借りたモバイルバッテリーを購入するための操作に応答して、ユーザにモバイルバッテリーの買い取り代金を課す。また、所定期間が経過してモバイルバッテリーが返却されていない場合に、当該返却されていないことに対して、ユーザにモバイルバッテリーの買い取り代金に相当する金額を課す。
【００９７】
サーバ２０は、各ユーザにモバイルバッテリーをレンタルすることに伴って、ユーザ情報データベース２８１を更新する。
【００９８】
レンタルスポット情報データベース２８２のレコードのそれぞれは、項目「スポットＩＤ」と、項目「設置場所」と、項目「スロットごとのバッテリー情報」、項目「スロット使用状況」、項目「レンタル履歴」等を含む。
【００９９】
項目「スポットＩＤ」は、それぞれのレンタルスポット３０を識別する情報である。
【０１００】
項目「設置場所」は、それぞれのレンタルスポット３０が設置されている位置を示す情報である。レンタルスポット３０が設置されている位置を示す情報には、例えば、レンタルスポット３０が設置される施設の名称、当該施設におけるレンタルスポット３０の位置（ビルの階層、フロアにおける位置等）等の情報が含まれることとしてもよい。また、レンタルスポット３０が設置されている位置を示す情報には、住所の情報、緯度及び経度からなる座標の情報が含まれることとしてもよい。
【０１０１】
項目「スロットごとのバッテリー情報」は、レンタルスポット３０の各挿入口（以下、「スロット」と称する）に収容しているモバイルバッテリーの情報である。具体的には、各スロットに、スロット１及びスロット２のような識別番号（スロットＩＤ）を付与するとともに、各スロットに収容しているモバイルバッテリーについては、（ｉ）モバイルバッテリーを識別する情報（バッテリーＩＤ）、（ｉｉ）各モバイルバッテリーのデザインを識別する情報（デザインコード）、（ｉｉｉ）各モバイルバッテリーの充電状況を記録する。
【０１０２】
項目「スロット使用状況」は、レンタルスポット３０の各スロットの現在の状況を示す情報であり、（ｉ）スロットの総数、（ｉｉ）モバイルバッテリーを充電しているスロットの数（充電中台数）、（ｉｉｉ）モバイルバッテリーを貸出可能なスロットの数（貸出可能台数）、（ｉｖ）モバイルバッテリーを返却可能なスロットの数（返却可能台数）を記録する。例えば、貸出可能台数は、モバイルバッテリーを収容しているスロットのうち、充電が完了しているスロットの数と対応しており、返却可能台数は、モバイルバッテリーを収容していないスロットの数と対応している。スロットにおいて充電が完了していないモバイルバッテリーは、貸出可能台数にカウントしないこととしている。
【０１０３】
項目「レンタル履歴」は、各レンタルスポット３０がモバイルバッテリーをレンタルした結果を示す情報である。例えば、レンタル履歴としては、当該レンタルスポット３０によって貸し出し又は返却したモバイルバッテリーについて、（ｉ）貸出日時又は返却日時、（ｉｉ）モバイルバッテリーを識別する情報（バッテリーＩＤ）、（ｉｉｉ）各モバイルバッテリーのデザインを識別する情報（デザインコード）、（ｉｖ）貸出台数又は返却台数を記録する。
【０１０４】
サーバ２０は、各ユーザにモバイルバッテリーをレンタルすることに伴って、レンタルスポット情報データベース２８２を更新する。
【０１０５】
モバイルバッテリー情報データベース２８３のレコードのそれぞれは、項目「バッテリーＩＤ」と、項目「デザインコード」と、項目「現在状況」、項目「レンタル履歴」、項目「レンタル履歴」、項目「利用回数」等を含む。
【０１０６】
項目「バッテリーＩＤ」は、それぞれのモバイルバッテリーを識別する情報である。
【０１０７】
項目「デザインコード」は、それぞれのモバイルバッテリーのデザインを識別する情報である。
【０１０８】
項目「現在状況」は、各モバイルバッテリーがレンタルスポットに収容されている情報、又はユーザに貸し出されている情報である。例えば、レンタルスポットに収容されている場合、当該レンタルスポットのスポットＩＤ、所在しているスロットのスロットＩＤ、及び充電状態を記録する。ユーザに貸し出されている場合に、当該ユーザのユーザＩＤを記録する。
【０１０９】
項目「レンタル履歴」は、それぞれのモバイルバッテリーがレンタルされた結果を示す情報である。例えば、レンタル履歴としては、（ｉ）各モバイルバッテリーの貸出日時又は返却日時、（ｉｉ）貸出又は返却のレンタルスポットのスポットＩＤを記録する。項目「レンタル履歴」において、モバイルバッテリーの貸出日時及び返却日時に基づいて、モバイルバッテリーが貸し出された期間の累計を記録することとしてもよい。
【０１１０】
項目「利用回数」は、それぞれのモバイルバッテリーが貸し出された合計の回数を示す情報である。また、モバイルバッテリーがユーザに購入されているとき、当該購入の行動を記録する。例えば、サーバ２０は、ユーザがモバイルバッテリーを購入する処理を行った日時（モバイルバッテリーがユーザにより所有されるものとなったタイミング）、購入を行ったユーザの情報を記録する。これにより、ユーザがモバイルバッテリーをレンタルする操作を行ってから、モバイルバッテリーを購入する処理を行うまでの期間を計測することができる。
【０１１１】
サーバ２０は、各ユーザにモバイルバッテリーをレンタルすることに伴って、モバイルバッテリー情報データベース２８３を更新する。また、レンタル対象のモバイルバッテリーが追加されることに伴い、モバイルバッテリー情報データベース２８３にレコードが追加される。サーバ２０は、新たにレンタル対象のモバイルバッテリーが追加され、レンタルスポット３０において充電が完了して初めてレンタル可能となったタイミングを記録することとしてもよい。これにより、特定のデザインのモバイルバッテリーが追加されてから、ユーザによって貸し出されるまでの期間を計測することができる。
【０１１２】
＜３  動作＞
以下、図６、図７を参照しながら、モバイルバッテリーレンタルシステム１によるモバイルバッテリーの貸出処理及び返却処理について説明する。
【０１１３】
図６は、第１の実施の形態におけるモバイルバッテリーレンタルシステム１により、モバイルバッテリーの貸出処理を行う流れの一例を示すフローチャートである。以下の例では、端末装置１０の位置に基づいて所定範囲内の距離にあるレンタルスポット３０に収容されているモバイルバッテリーのデザインをユーザに提示し、ユーザがデザインを指定してモバイルバッテリーをレンタルする例を説明する。
【０１１４】
ステップＳ６１１において、端末装置１０の制御部１８０は、ユーザから、モバイルバッテリーが貸出可能なレンタルスポットを探すための操作を受け付ける。例えば、ユーザは、端末装置１０にインストールされているアプリケーションを用いて、自分の位置情報を提供するとともに、所定範囲内のモバイルバッテリーが貸出可能なレンタルスポットを探すためのリクエストをサーバ２０に送る。
【０１１５】
ステップＳ６１２において、端末装置１０は、ユーザから、モバイルバッテリーのデザインを指定して借りるか否かの入力操作を受け付ける。ステップＳ６１１におけるリクエストに応答して、ステップＳ６１２において、端末装置１０は、デザインを指定してモバイルバッテリーを借りるための操作部、及び、デザインを指定せずにモバイルバッテリーを借りるための操作部をディスプレイ１３２に表示させることで、ユーザに選択肢を提示する。ユーザは当該２つの操作部への入力操作により、モバイルバッテリーの借り方を決める。
【０１１６】
ステップＳ６１３において（ステップＳ６１２でＹＥＳの場合、つまり、モバイルバッテリーのデザインを指定して借りることをユーザが選択した場合）、端末装置１０は、ユーザから、モバイルバッテリーのデザインを指定するための操作を受け付ける。例えば、ステップＳ６１２におけるユーザの入力操作（デザインを指定して借りることをユーザが選択する入力操作）に応答して、端末装置１０は、端末装置１０の位置から所定範囲内のレンタルスポットが貸出可能な全てのモバイルバッテリーのデザインをディスプレイ１３２に表示させる。例えば、端末装置１０は、サーバ２０に、端末装置１０の位置から所定範囲内の距離にあるレンタルスポットが貸出可能なモバイルバッテリーのデザインのリストを要求し、サーバ２０からの応答結果に基づいて、ユーザに対し、レンタルするモバイルバッテリーのデザインの候補を提示する。ユーザはこれらのデザインから、借りたいデザインを指定する。
【０１１７】
ステップＳ６２１において、サーバ２０のプロセッサ２９は、端末装置１０の要求に応答して、レンタルスポット情報データベース２８２を参照することにより、端末装置１０の位置から所定範囲内の距離にあるレンタルスポット３０を特定する。サーバ２０は、当該レンタルスポット３０において貸し出し可能なモバイルバッテリーのデザインのリストを端末装置１０へ応答する。
【０１１８】
また、サーバ２０は、ユーザのデザインを指定する操作に応答して、端末装置１０の位置情報に基づき、レンタルスポット情報データベース２８２又はモバイルバッテリー情報データベース２８３を照合することにより、ユーザから所定範囲内の、指定されたデザインのモバイルバッテリーが貸出可能なレンタルスポットを提示する。つまり、サーバ２０は、端末装置１０から、ユーザが指定したデザインの情報を受信すると、レンタルスポット情報データベース２８２を参照することにより、ユーザによって指定されたデザインのモバイルバッテリーが貸出可能なレンタルスポット特定する。サーバ２０は、特定したレンタルスポットの情報を端末装置１０へ応答することにより、端末装置１０に、ユーザが指定したデザインのモバイルバッテリーをレンタル可能なレンタルスポットをユーザに提示する。
【０１１９】
ステップＳ６１４において、端末装置１０は、ユーザから、提示されたレンタルスポットからモバイルバッテリーを借りるための操作を受け付ける。例えば、ユーザは、ステップＳ６２１に提示された複数のレンタルスポットのうち、一つのレンタルスポット３０まで移動する。そして、端末装置１０は、当該レンタルスポット３０を識別する情報に基づいて、当該レンタルスポット３０において、ユーザが指定したデザインのモバイルバッテリーを借りるための貸出の要求をサーバ２０へ送信する。例えば、レンタルスポット３０は、ディスプレイ（出力装置３４）に、レンタルスポット３０を識別する情報を含む二次元コード（例えば、ＱＲコード（登録商標））を表示している。端末装置１０は、レンタルスポット３０のディスプレイ（出力装置３４）に表示される二次元コードを、カメラ１６０等の撮影画像に基づき読み取る。これにより、端末装置１０は、当該レンタルスポット３０から、ユーザが指定したデザインのモバイルバッテリーを借りるための貸出の要求をサーバ２０に送信する。
【０１２０】
ステップＳ６２２において、サーバ２０は、端末装置１０から、モバイルバッテリーの貸出の要求を受信する。当該貸出の要求には、レンタルスポット３０を識別する情報、ユーザが指定したデザインの情報等が含まれる。サーバ２０は、ユーザが指定したデザインのモバイルバッテリーを貸出すようにレンタルスポット３０に指示を送信する。例えば、サーバ２０は、ステップＳ６１４における貸出の要求に応答して、レンタルスポット情報データベース２８２を照合することにより、指定されたデザインのモバイルバッテリーを収容しているスロットを特定し、当該スロットからモバイルバッテリーを送り出すような貸出の指示を、レンタルスポット３０に送信する。
【０１２１】
ステップＳ６３１において、レンタルスポット３０は、指定されたデザインのモバイルバッテリーを送り出す。例えば、レンタルスポット３０は、サーバ２０からの貸出の指示に応答して、ステップＳ６２２において特定されたスロットから、ユーザによって指定されたデザインのモバイルバッテリーを送り出す。レンタルスポット３０は、ユーザに対しモバイルバッテリーを貸し出したことに応答して、サーバ２０に、貸出の完了を送信する。例えば、レンタルスポット３０は、スロットから、モバイルバッテリーを取り出し可能にロックを解除したこと、ユーザがスロットからモバイルバッテリーを抜き出したことを検出したこと等に基づいて、貸出の完了をサーバ２０へ送信する。サーバ２０は、レンタルスポット３０から、貸出の完了を受信することにより、端末装置１０へ、モバイルバッテリーの貸出が行われたことを示す通知（貸出の完了の通知）を送信する。
【０１２２】
ステップＳ６１５において、端末装置１０は、サーバ２０から、モバイルバッテリーの貸出完了の通知を受信することにより、レンタルスポット３０から、指定されたデザインのモバイルバッテリーをレンタル中である場合の処理を行う。例えば、モバイルバッテリーの利用時間をカウントし、利用時間に基づいて利用料金を算出してユーザに提示する処理等を行う。また、ユーザに対し、モバイルバッテリーを返却可能なレンタルスポット３０を提示する処理（返却可能なスロットがあるレンタルスポットをサーバ２０へ問い合わせる処理等）を行う。モバイルバッテリーの利用時間は、ユーザがモバイルバッテリーを受け取った時点（例えば、レンタルスポット３０においてモバイルバッテリーを送り出した時点）から起算することとしてもよい。
【０１２３】
ステップＳ６２３において、サーバ２０は、端末装置１０及びレンタルスポット３０と通信を行うことにより、最新のレンタルサービス利用状況を取得し、ユーザ情報データベース２８１、レンタルスポット情報データベース２８２及びモバイルバッテリー情報データベース２８３を更新する。
【０１２４】
以上のように、ユーザがモバイルバッテリーのデザインを指定した場合に、端末装置１０は、当該指定されたデザインのモバイルバッテリーをレンタル可能なレンタルスポットをユーザに提示する。これにより、例えば、モバイルバッテリーをユーザに提供可能なレンタルスポットが、ユーザの位置（つまり、端末装置１０の位置）の周囲に複数あるような場合において、ユーザが、どのレンタルスポットを利用するかを、バッテリーのデザインに基づいて絞り込むことができることとなり、ユーザが、貸出を受けるためのレンタルスポットを決定することがよりいっそう容易になる。
【０１２５】
一方、ユーザがモバイルバッテリーのデザインを指定せず、レンタルをすることもある（ステップＳ６１２においてＮＯ、つまり、モバイルバッテリーのデザインを指定しないで借りることをユーザが選択した場合）。サーバ２０は、ユーザが貸出を受けようとするレンタルスポット３０において貸出可能なデザインのうち、ユーザに貸し出すモバイルバッテリーのデザインを決定する。
【０１２６】
ステップＳ６２４において（ステップＳ６１２でＮＯの場合、つまり、モバイルバッテリーのデザインを指定しないで借りることをユーザが選択した場合）、サーバ２０は、デザインにかかわらず、モバイルバッテリーが貸出可能なレンタルスポットを提示する。例えば、端末装置１０は、ステップＳ６１２においてモバイルバッテリーのデザインを指定せずに借りるための入力操作を受け付ける。端末装置１０は、当該入力操作に応答して、端末装置１０の位置情報に基づき、レンタルスポットの情報をサーバ２０へ要求する。サーバ２０は、端末装置１０からの要求を受信することに応答して、レンタルスポット情報データベース２８２又はモバイルバッテリー情報データベース２８３を参照することにより、ユーザから所定範囲内のレンタルスポットを特定する。当該レンタルスポットは、ユーザが指定したデザインのモバイルバッテリーが貸出可能か否かにかかわらず特定される。サーバ２０は、特定したレンタルスポットを端末装置１０へ応答することにより、端末装置１０のディスプレイ１３２に、端末装置１０の位置から所定範囲内の距離にあるレンタルスポットを表示させる。
【０１２７】
ステップＳ６１６において、端末装置１０は、ユーザから、提示されたレンタルスポットからモバイルバッテリーを借りるための操作を受け付ける。例えば、ユーザは、ステップＳ６２４によりサーバ２０から提示された複数のレンタルスポットのうち、一つのレンタルスポット３０まで移動する。そして、端末装置１０は、ユーザの操作により、当該レンタルスポット３０のＱＲコード（登録商標）（レンタルスポット３０の識別情報を含む）を読み取ることにより、当該レンタルスポット３０からモバイルバッテリーを借りるための貸出の要求をサーバ２０に送信する。
【０１２８】
ステップＳ６２５において、サーバ２０は、ユーザに貸し出すモバイルバッテリーのデザインを決定する。例えば、サーバ２０は、ステップＳ６１６における端末装置１０からの貸出の要求に応答して、当該要求に含まれるレンタルスポット３０の識別情報に基づいて、レンタルスポット情報データベース２８２を参照することにより、レンタルスポット３０が貸出可能なモバイルバッテリーを特定する。サーバ２０は、貸出可能なモバイルバッテリーのうち、ユーザに貸し出すモバイルバッテリーのデザインを決定し、当該デザインのモバイルバッテリーを収容しているスロットからモバイルバッテリーを送り出すような貸出の指示を、レンタルスポット３０に送信する。
【０１２９】
デザインを決定するための方法としては、レンタルスポット３０が貸出可能なモバイルバッテリーから、デザインをランダムに決定してよいし、ユーザ情報に基づいてデザインを決定してもよい。例えば、サーバ２０は、ユーザ情報データベース２８１を参照することにより、ユーザの属性に基づいて、ユーザに貸し出すモバイルバッテリーのデザインを決定してもよい。例えば、ユーザの年齢および性別に基づいて、ユーザが２０代の女性の場合に、サーバ２０は、ユーザ情報データベース２８１及びレンタルスポット情報データベース２８２を照合することにより、化粧品情報を含むデザインを選択してスロットを特定する。サーバ２０は、当該スロットからモバイルバッテリーを送り出すような貸出の指示を、レンタルスポット３０に送信する。
【０１３０】
また、サーバ２０は、ユーザの位置に関する情報（端末装置１０の位置、ユーザの職場等の住所）に基づいて、ユーザに貸し出すモバイルバッテリーのデザインを決定してもよい。例えば、端末装置１０が特定の位置にある場合（例えば、歓楽街など）、サーバ２０は、当該特定の位置にある施設、店舗等のデザインを有するモバイルバッテリーを貸し出すと決定する。例えば、サーバ２０は、レンタルスポット情報データベース２８２を参照することにより、デザインに関連する広告主のレンタルスポット３０の住所を取得して、ユーザの位置に関する情報と、当該住所とに基づいて、ユーザに貸し出すモバイルバッテリーのデザインを決定する。
【０１３１】
また、サーバ２０は、ユーザ情報データベース２８１を参照し、ユーザの行動履歴（項目「レンタルサービス利用履歴」等）、例えば、ユーザがモバイルバッテリーを頻繁に借りるレンタルスポット３０、モバイルバッテリーを頻繁に返却するレンタルスポット３０の情報に基づいて、当該位置に関連するデザインのモバイルバッテリーを貸し出すと決定してもよい。
【０１３２】
また、サーバ２０は、過去にユーザに貸し出されたモバイルバッテリーのデザインの履歴に基づいて、ユーザに貸し出すモバイルバッテリーのデザインを決定してもよい。例えば、ユーザが過去に指定したデザイン（ステップＳ６１２）に関連するデザイン、または、ユーザが過去に指定したデザインとは関連度が比較的低いデザインを、ユーザに貸し出すモバイルバッテリーのデザインとして決定してもよい。なお、ステップＳ６１２等において、ユーザがデザインを指定した場合も、ユーザが指定したデザインに関連するデザイン（例えば、広告主が同一のデザイン、ユーザがキャラクター等のデザインを指定した場合に、当該キャラクタ―等が登場するコンテンツが含まれるデザイン等）を、ユーザにおすすめとして端末装置１０のディスプレイ１３２に表示する等により提示してもよい。
【０１３３】
ステップＳ６３２において、レンタルスポット３０は、決定されたデザインのモバイルバッテリーを送り出す。例えば、レンタルスポット３０は、サーバ２０からの貸出の指示に応答して、ステップＳ６２５に特定されたスロットから、決定されたデザインのモバイルバッテリーを送り出す。レンタルスポット３０は、ユーザに対しモバイルバッテリーを貸し出したことに応答して、サーバ２０に、貸出の完了を送信する。サーバ２０は、レンタルスポット３０から、貸出の完了を受信することにより、端末装置１０へ、モバイルバッテリーの貸出が行われたことを示す通知（貸出の完了の通知）を送信する。
【０１３４】
ステップＳ６１７において、端末装置１０は、サーバ２０から、モバイルバッテリーの貸出完了の通知を受信することにより、レンタルスポット３０から、サーバ２０において決定されたデザインのモバイルバッテリーをレンタル中である場合の処理を行う。モバイルバッテリーの利用時間は、受け取りの時点から起算する。
【０１３５】
ステップＳ６２６において、サーバ２０は、端末装置１０及びレンタルスポット３０と通信を行うことにより、最新のレンタルサービス利用状況を取得し、ユーザ情報データベース２８１、レンタルスポット情報データベース２８２及びモバイルバッテリー情報データベース２８３を更新する。
【０１３６】
上記一連の処理により、端末装置１０、サーバ２０、およびレンタルスポット３０は、モバイルバッテリーの貸出処理を完了する。
【０１３７】
図７は、第１の実施の形態におけるモバイルバッテリーレンタルシステム１により、モバイルバッテリーの返却処理を行う流れの一例を示すフローチャートである。
【０１３８】
ステップＳ７１１において、端末装置１０は、ユーザから、モバイルバッテリーが返却可能なレンタルスポットを探すための操作を受け付ける。例えば、ユーザは、端末装置１０にインストールされているアプリケーションを用いて、自分の位置情報を提供するとともに、所定範囲内のモバイルバッテリーが返却可能なレンタルスポットを探すためのリクエストをサーバ２０に送る。
【０１３９】
ステップＳ７２１において、サーバ２０は、モバイルバッテリーが返却可能なレンタルスポットを提示する。例えば、サーバ２０は、端末装置１０の位置情報に基づき、レンタルスポット情報データベース２８２を照合することにより、ユーザから所定範囲内のレンタルスポット３０を端末装置１０へ応答する。サーバ２０は、レンタルスポット情報データベース２８２を参照することにより、空きスロット（返却可能なスロット）があるレンタルスポットを端末装置１０へ応答してもよい。
【０１４０】
ステップＳ７１２において、端末装置１０は、ユーザから、提示されたレンタルスポットにモバイルバッテリーを返却するための操作を受け付ける。例えば、ユーザは、ステップＳ７２１においてサーバ２０が提示した複数のレンタルスポットのうち、一つのレンタルスポット３０まで移動する。端末装置１０は、ユーザから、モバイルバッテリーを返却するレンタルスポットを指定する操作を受け付けることとしてもよい。例えば、端末装置１０の位置から所定範囲内のレンタルスポットで、空きスロットがあるレンタルスポットを指定することにより、当該レンタルスポット３０において、ユーザがモバイルバッテリーを返却するためのスロットが確保されることとしてもよい。
【０１４１】
なお、端末装置１０は、ステップＳ７１２の処理を行わず、ユーザが、レンタルスポット３０の空いているスロットにモバイルバッテリーを挿入することにより返却を行えることとしてもよい。レンタルスポット３０の空きスロットにモバイルバッテリーが挿入されることにより、レンタルスポット３０が、サーバ２０へ、モバイルバッテリーの返却を受け付けたことを示す信号を送信する。サーバ２０は、レンタルスポット３０から受信した信号に基づいて、当該モバイルバッテリーがレンタルスポット３０に返却されたことを記録する。サーバ２０は、端末装置１０に、モバイルバッテリーが返却されたことを示す信号を送信する。
【０１４２】
ステップＳ７３１において、レンタルスポット３０は、モバイルバッテリーを取り込む。例えば、レンタルスポット３０は、ステップＳ７１２における返却の要求に応答して、ユーザがスロットに挿入したモバイルバッテリーを取り込む。モバイルバッテリーの利用時間は、取り込みの時点に終了する。
【０１４３】
ステップＳ７２２において、サーバ２０は、端末装置１０及びレンタルスポット３０と通信を行うことにより、最新のレンタルサービス利用状況を取得し、ユーザ情報データベース２８１、レンタルスポット情報データベース２８２及びモバイルバッテリー情報データベース２８３を更新する。
【０１４４】
上記一連の処理により、モバイルバッテリーの返却処理は完了される。
【０１４５】
＜４  画面例＞
図８は、本開示の第１の実施の形態における端末装置１０の画面例を示す図である。
【０１４６】
図８の画面例（Ａ）は、デザインを指定してモバイルバッテリーを借りるための操作をユーザから受け付けた場合、指定されたデザインのモバイルバッテリーが貸出可能なレンタルスポット３０に関する情報をユーザに提示する局面を示す図である。
【０１４７】
画面例（Ａ）に示すように、ユーザの端末装置１０において、ユーザの現在地と、現在地から所定範囲内にあり、指定されたデザインのモバイルバッテリーが貸出可能なレンタルスポット８３０Ａ、８３０Ｂとを、地図上に表示している。また、ユーザの端末装置１０において、各レンタルスポット８３０Ａ、８３０Ｂの設置場所、各レンタルスポット８３０Ａ、８３０Ｂにおいて、指定されたデザインのモバイルバッテリーの貸出可能台数、デザインにかかわらず貸出可能なモバイルバッテリーの合計台数、各レンタルスポットまでのルートなどを表示するとしてもよい。例えば、地図上に表示されるレンタルスポットの画像（８３０Ａ、８３０Ｂ）へのタップ操作に応答して、各レンタルスポットの情報およびルートを表示させる。これにより、好みのデザインのモバイルバッテリーを借りるための有益な情報をユーザに提供し、ユーザを適宜なレンタルスポットに案内することができる。
【０１４８】
また、画面例（Ａ）において、ユーザがデザインを指定してモバイルバッテリーの貸出を受けるか、デザインを指定せずモバイルバッテリーの貸出を受けるかをユーザが切り替え可能であるとしてもよい。例えば、端末装置１０は、画面例（Ａ）に示すように地図を表示しつつ、企業、キャラクター等とコラボレーションして作成されたデザインのモバイルバッテリーがレンタル可能であることを示す画像を表示する。端末装置１０は、ユーザから、当該画像を指定する操作を受け付けることにより、コラボレーションにより作成されたデザインのモバイルバッテリーを貸し出し可能なレンタルスポット３０をユーザが認識できるようディスプレイ１３２に表示する。例えば、複数のレンタルスポットのうち、当該デザインのモバイルバッテリーを貸し出し可能なレンタルスポット３０のみを、地図とともにディスプレイ１３２に表示することとしてもよいし、複数のレンタルスポットのうち、当該デザインのモバイルバッテリーを貸し出し可能なレンタルスポット３０を強調して表示することとしてもよい。例えば、地図においてレンタルスポット３０の位置を示す画像を、当該デザインのモバイルバッテリーの貸出が可能なことを示す画像（例えば、デザインの少なくとも一部を含む画像）としてもよい。
【０１４９】
図８の画面例（Ｂ）は、指定されたデザインのモバイルバッテリーを貸し出す旨の通知をユーザに表示させる局面を示す図である。
【０１５０】
画面例（Ｂ）に示すように、レンタルスポット３０が、ユーザが指定したデザインのモバイルバッテリーを送り出した後、貸出完了の通知を端末装置１０に表示させる。これにより、借りたいデザインのモバイルバッテリーの貸出完了、及びモバイルバッテリーの利用期間の起算をユーザに知らせて、ユーザ体験を向上させることができることができる。
【０１５１】
図８の画面例（Ｃ）は、デザインを指定せずにモバイルバッテリーを借りるための操作を受け付けた場合、デザインにかかわらずモバイルバッテリーが貸出可能なレンタルスポット３０に関する情報をユーザに提示する局面を示す図である。
【０１５２】
画面例（Ｃ）に示すように、ユーザの端末装置１０において、ユーザの現在地と、現在地から所定範囲内にあり、デザインにかかわらずモバイルバッテリーが貸出可能なレンタルスポット８３０Ｃ、８３０Ｄとを、地図上に表示している。また、ユーザの端末装置１０において、各レンタルスポット８３０Ｃ、８３０Ｄの設置場所、各レンタルスポット８３０Ｃ、８３０Ｄにおいて、デザインにかかわらず貸出可能なモバイルバッテリーの合計台数、各レンタルスポットまでのルートなどを表示するとしてもよい。例えば、地図上に表示されるレンタルスポットの画像（８３０Ｃ、８３０Ｄ）へのタップ操作に応答して、各レンタルスポットの情報およびルートを表示させる。デザインにかかわらずモバイルバッテリーを借りるための有益な情報をユーザに提供し、ユーザを適宜なレンタルスポットに案内することができる。
【０１５３】
図８の画面例（Ｄ）は、モバイルバッテリーが返却可能なレンタルスポット３０に関する情報をユーザに提示する局面を示す図である。
【０１５４】
画面例（Ｄ）に示すように、ユーザの端末装置１０において、ユーザの現在地と、現在地から所定範囲内にあり、モバイルバッテリーが返却可能なレンタルスポット８３０Ｅ、８３０Ｆとを、地図上に表示している。また、ユーザの端末装置１０において、各レンタルスポット８３０Ｅ、８３０Ｆの設置場所、各レンタルスポット８３０Ｅ、８３０Ｆに返却可能なモバイルバッテリーの合計台数、各レンタルスポットまでのルートなどを表示するとしてもよい。例えば、地図上に表示されるレンタルスポットの画像（８３０Ｅ、８３０Ｆ）へのタップ操作に応答して、各レンタルスポットの情報およびルートを表示させる。モバイルバッテリーを返却するための有益な情報をユーザに提供し、ユーザを適宜なレンタルスポットに案内することができる。
【０１５５】
＜小括＞
以上のように、本実施の形態においては、モバイルバッテリーに独自のデザイン性を持たせて、ユーザが指定したデザインのモバイルバッテリーを貸し出すことが可能である。これにより、独自のデザイン性で既存のサービスとの差別化を図りつつ、ユーザがモバイルバッテリーのレンタルサービスをよりいっそう利用するよう、動機付けを与えることができる。
【０１５６】
＜第２の実施の形態＞
以下、ユーザが借りたいデザインを指定して、当該デザインを含む複数のデザインからランダムに抽選したデザインのモバイルバッテリーを貸し出し、返却するためのモバイルバッテリーレンタルシステムについて説明する。
【０１５７】
＜１  モバイルバッテリーレンタルシステムの全体構成＞
第２の実施の形態におけるモバイルバッテリーレンタルシステムの全体の構成、端末装置１０、レンタルスポット３０の構成は、第１の実施の形態と同様であるので、繰り返して説明しない。サーバ２０の構成については、デザイン決定モジュール２０３４の機能以外、第１の実施の形態と同様である。以下、第２の実施の形態におけるデザイン決定モジュール２０３４の機能について説明する。
【０１５８】
第１の実施の形態におけるデザイン決定モジュール２０３４は、ユーザがモバイルバッテリーのデザインを指定していない場合に、ユーザに貸し出すモバイルバッテリーのデザインを決定する処理を制御する。一方、第２の実施の形態におけるデザイン決定モジュール２０３４は、上記処理だけではなく、ユーザがモバイルバッテリーのデザインを指定した場合に、当該デザインを含む複数のデザインからランダムにデザインを抽選する処理を制御する。具体的には、第２の実施の形態におけるデザイン決定モジュール２０３４は、ユーザが指定したデザインのモバイルバッテリーを収容しているレンタルスポットが貸出可能な各モバイルバッテリーから、ユーザに貸し出すモバイルバッテリーのデザインをランダムに抽選する。
【０１５９】
つまり、第２の実施の形態では、ユーザが指定したデザインが当選して手に入れられる可能性があるし、ユーザが指定したデザインとは別のデザインが当選する可能性もある。これにより、ユーザに対し、モバイルバッテリー自体の機能（充電機能）を提供しつつ、新たなデザインのモバイルバッテリーをユーザが手にすることにより、ユーザが当該デザインに関心を持つ可能性を高めることができ得る。
【０１６０】
＜２  データ構造＞
第２の実施の形態におけるデータ構造は、第１の実施の形態と同様であるので、繰り返して説明しない。
【０１６１】
＜３  動作＞
以下、図９、図７を参照しながら、第２の実施の形態におけるモバイルバッテリーレンタルシステムによるモバイルバッテリーの貸出処理及び返却処理について説明する。
【０１６２】
図９は、第２の実施の形態におけるモバイルバッテリーレンタルシステムにより、モバイルバッテリーの貸出処理を行う流れの一例を示すフローチャートである。
【０１６３】
図９に示すステップＳ９１１〜Ｓ９１２の処理は、第１の実施の形態におけるステップＳ６１１〜Ｓ６１２（図６を参照）の処理と同様であるので、繰り返して説明しない。
【０１６４】
ステップＳ９１３において（ステップＳ９１２でＹＥＳの場合、つまり、モバイルバッテリーのデザインを指定して借りることをユーザが選択した場合）、端末装置１０は、ユーザから、モバイルバッテリーのデザインを少なくとも１つ指定するための操作を受け付ける。例えば、ステップＳ９１２におけるユーザの入力操作（デザインを指定して借りることをユーザが選択する入力操作）に応答して、端末装置１０は、サーバ２０に、モバイルバッテリーのデザインのリストを要求する。サーバ２０は、端末装置１０の位置にかかわらず、モバイルバッテリーレンタルシステム１で提供しているモバイルバッテリーのデザインのリストを端末装置１０へ応答することとしてもよいし、プロモーション中のデザインのリストを端末装置１０へ応答することとしてもよい。なお、サーバ２０は、端末装置１０の位置から所定範囲内のレンタルスポットが貸出可能な全てのモバイルバッテリーのデザインを端末装置１０へ応答することとしてもよい。ユーザはこれらのデザインから、借りたいデザインを少なくとも１つ指定する。つまり、端末装置１０は、ユーザから、希望するデザインを指定する操作を受け付ける。
【０１６５】
ステップＳ９２１において、サーバ２０は、指定されたデザインのモバイルバッテリーが貸出可能なレンタルスポットを提示する。なお、ユーザが、複数のデザインを指定した場合、サーバ２０は、指定したデザインの少なくとも一部のデザインのモバイルバッテリーを貸出可能なレンタルスポットを端末装置１０へ応答することとしてもよいし、指定したデザインのいずれも貸出可能なレンタルスポットを端末装置１０へ応答することとしてもよい。
【０１６６】
例えば、サーバ２０は、ユーザのデザインを指定する操作に応答して、端末装置１０の位置情報に基づき、レンタルスポット情報データベース２８２又はモバイルバッテリー情報データベース２８３を参照することにより、ユーザから所定範囲内の、指定されたデザインのモバイルバッテリーが貸出可能なレンタルスポットを端末装置１０のユーザへ提示する。
【０１６７】
ステップＳ９１３において、端末装置１０は、ユーザが１つのデザインを指定した場合に、当該デザインが貸出可能なレンタルスポットをディスプレイ１３２等において提示する。端末装置１０は、ユーザが複数のデザインを指定した場合に、当該複数のデザインのいずれも貸出可能なレンタルスポットを提示することとしてもよい。
【０１６８】
ステップＳ９１４において、端末装置１０は、ユーザから、提示されたレンタルスポットからモバイルバッテリーを借りるための操作を受け付ける。例えば、ユーザは、ステップＳ９２１においてサーバ２０が提示した複数のレンタルスポットのうち、一つのレンタルスポット３０まで移動する。そして、端末装置１０は、ユーザの操作により当該レンタルスポット３０のＱＲコード（登録商標）を読み取ることにより、当該レンタルスポット３０から指定したデザインのモバイルバッテリーを借りるための貸出の要求をサーバ２０に送信する。
【０１６９】
ステップＳ９２２において、サーバ２０は、指定されたデザインを含む複数のデザインから、ランダムにデザインを抽選する。例えば、ユーザがデザインＡを指定して借りたい場合、ユーザが利用しているレンタルスポット３０には、デザインＡのモバイルバッテリーが収容しているが、デザインＡのモバイルバッテリーを確定的に貸し出すかわりに、サーバ２０は、レンタルスポット３０が貸出可能な全てのデザインから、ランダムにデザインを抽選する。サーバ２０は、レンタルスポット情報データベース２８２を照合することにより、ランダムにデザインを抽選し、当選したデザインのモバイルバッテリーを収容しているスロットを特定し、当該スロットからモバイルバッテリーを送り出すような貸出の指示を、レンタルスポット３０に送信する。
【０１７０】
つまり、ステップＳ９２２では、ユーザが指定したデザインが当選する可能性があるし、ユーザが指定したデザインとは別のデザインが当選する可能性もある。
【０１７１】
ステップＳ９３１において、レンタルスポット３０は、抽選されたデザインのモバイルバッテリーを送り出す。例えば、レンタルスポット３０は、サーバ２０からの貸出の指示に応答して、ステップＳ９２２に特定されたスロットから、抽選されたデザインのモバイルバッテリーを送り出す。
【０１７２】
ステップＳ９１５において、端末装置１０は、レンタルスポット３０から、抽選されたデザインのモバイルバッテリーをレンタル中である場合の処理を行う。モバイルバッテリーの利用時間は、受け取りの時点から起算する。
【０１７３】
ステップＳ９２３、Ｓ９１６、Ｓ９１７、Ｓ９２４、Ｓ９２５、Ｓ９２６、Ｓ９３２の処理は、第１の実施の形態におけるステップＳ６２３、Ｓ６１６、Ｓ６１７、Ｓ６２４、Ｓ６２５、Ｓ６２６、Ｓ６３２（図６を参照）の処理と同様であるので、繰り返して説明しない。
【０１７４】
上記一連の処理により、モバイルバッテリーの貸出処理は完了される。
【０１７５】
第２の実施の形態におけるモバイルバッテリーの返却処理は、第１の実施の形態（図７を参照）と同様であるので、繰り返して説明しない。
【０１７６】
＜４  画面例＞
図１０は、本開示の第２の実施の形態における端末装置１０の画面例を示す図である。
【０１７７】
図１０の画面例（Ａ）は、デザインを少なくとも１つ指定してモバイルバッテリーを借りるための操作をユーザから受け付けた場合、指定されたデザインのモバイルバッテリーが貸出可能なレンタルスポット３０に関する情報をユーザに提示する局面を示す図である。
【０１７８】
画面例（Ａ）には、ユーザが１つのデザインを指定した場合、当該デザインが貸出可能なレンタルスポット（図示するように、レンタルスポット１０３０Ａ、１０３０Ｂ）を提示する。ユーザが複数のデザインを指定した場合に、当該複数のデザインのいずれも貸出可能なレンタルスポットを絞って提示する。そのほかの画面構成は図８の画面例（Ａ）と同様である。これにより、好みのデザインのモバイルバッテリーを借りるための有益な情報をユーザに提供し、ユーザを適宜なレンタルスポットに案内することができる。また、指定できるデザインの数を増やして、借りたい複数のデザインがいずれも貸出可能なレンタルスポットを提示することにより、レンタルスポットを絞り込み、利用すべきレンタルスポットを決めることを容易にすることができる。
【０１７９】
図１０の画面例（Ｂ）は、ステップＳ９２２においてデザインを抽選した結果を、端末装置１０においてユーザに通知する局面を示す図である。
【０１８０】
画面例（Ｂ）に示すように、ユーザが指定したデザインが当選したか否かの通知を端末装置１０に表示させる。これにより、借りたいデザインの当選に対する期待感をユーザに与えて、抽選の結果及び貸出の完了を知らせることができる。また、ユーザがレンタルスポット３０においてモバイルバッテリーの貸出を受ける場合に（例えば、端末装置１０において、レンタルスポット３０に表示される二次元コードを読み取ることに応答して、または、端末装置１０がサーバ２０に対して貸出の要求（レンタルスポット３０を識別する情報を含む）を送信することに応答して）、ユーザが指定したモバイルバッテリーが抽選されるか否かの演出をディスプレイ１３２に表示することとしてもよい。
【０１８１】
また、サーバ２０が、レンタルスポット３０から、ユーザが指定したデザインのモバイルバッテリーをスロットから送り出したことを示す通知（貸出の完了）を受信することに応答して端末装置１０に対して貸出完了を送信する。サーバ２０は、ユーザが指定したデザインのモバイルバッテリーがステップＳ９２１において抽選により選ばれている場合に、ユーザが当選していることを示す情報を当該貸出完了とともに端末装置１０へ送信する。端末装置１０は、サーバ２０から貸出完了を受信したことに応答して、端末装置１０において画面例（Ｂ）のように、ユーザが指定したデザインが当選したことをディスプレイ１３２等によりユーザに提示することとしてもよい。
【０１８２】
図１０の画面例（Ｃ）は、端末装置１０において、ユーザから、デザインを指定せずにモバイルバッテリーを借りるための操作を受け付けた場合、デザインにかかわらずモバイルバッテリーが貸出可能なレンタルスポット３０に関する情報（図示するように、レンタルスポット１０３０Ｃ、１０３０Ｄ）をユーザに提示する局面を示す図である。図８の画面例（Ｃ）と同様であるので、繰り返して説明しない。
【０１８３】
図１０の画面例（Ｄ）は、モバイルバッテリーが返却可能なレンタルスポット３０に関する情報をユーザに提示する局面を示す図である。図８の画面例（Ｄ）と同様であるので、繰り返して説明しない。
【０１８４】
＜小括＞
以上のように、本実施の形態においては、モバイルバッテリーに独自のデザイン性を持たせて、ユーザが指定したデザインを含む複数のデザインから、デザインをランダムに抽選してレンタルすることが可能である。したがって、モバイルバッテリーの貸出により、モバイルバッテリーの機能をユーザに提供した上で、借りたいデザインの当選に対する期待感をユーザに与えて、サービスに興趣性を持たせて、ユーザ体験を向上させることができることができる。これにより、既存のサービスとの差別化を図り、単なるモバイルバッテリーのレンタルサービスから脱却することができる。
また、以上の各実施形態を組み合わせることとしてもよい。
【０１８５】
＜変形例１＞
上記したモバイルバッテリーのデザインは、広告情報として機能させてよい。
【０１８６】
（ｉ）モバイルバッテリーのデザインは、所定ブランドに関連するものであるとしてもよい。サーバ２０は、ユーザが、当該ブランドの事業者の敷地内のレンタルスポットを利用して、当該ブランドに関連するデザインのモバイルバッテリーを借りて又は返却した場合、ユーザに特典を付与する。ここでいう「特典」とは、データとして記録されるもの、例えば、ポイント、アイテム、仮想通貨又はゲームキャラクタ、クーポンなど、モバイルバッテリーレンタルサービスにおいて活用できるもの、またはユーザにとって有益なものであればよい。例えば、メッセンジャーサービスなど、モバイルバッテリーのレンタルサービス以外の他のサービスで利用できるコンテンツ（例えば、画像（スタンプとも称される）、音声等）を特典としてユーザに付与することとしてもよい。
【０１８７】
ここで、当該モバイルバッテリーのデザインを借りること、または返却することで付与される特典は、バッテリーデザインの広告主ごとに用意されていることとしてもよい。サーバ２０は、広告主ごとに、モバイルバッテリーのデザインと、特典とを関連付けて、例えばモバイルバッテリー情報データベース２８３において保持することとしてもよい。端末装置１０は、ユーザがモバイルバッテリーの貸出を受けている場合に、当該モバイルバッテリーのデザインに基づいて、当該デザインに関連付けられる特典の内容をディスプレイ１３２に表示する等によりユーザに提示してもよい。ここで、端末装置１０は、当該特典を受けられる場所（例えば、広告主の施設、ＥＣサイト等）、当該特典を受けられるコンテンツ（漫画、ゲーム等）をユーザに提示してもよい。
【０１８８】
例えば、モバイルバッテリーのデザインは、所定の飲食チェーン店のロゴマークを含む。ユーザが当該ロゴマークの付いたモバイルバッテリーを、当該飲食チェーン店の店舗に設置したレンタルスポットに返却した場合に、サーバ２０は、ユーザに、飲食店又はモバイルバッテリーのレンタルに使えるクーポン等の特典を付与する。例えば、サーバ２０は、特典として、デザインの広告主の店舗に設置されるレンタルスポットに返却することにより、所定ポイント（製品またはサービスの支払いに充当できるポイント等）を付与する、店舗での利用額に対して適用できるクーポンを付与する、モバイルバッテリーのレンタルサービスに利用できるクーポン（利用金額の一定割合または全額を無料）を付与する等の特典をユーザに付与する。
【０１８９】
これにより、広告主の施設、店舗等に、ユーザがリピートする可能性を高めることができる。また、広告主の施設、店舗等が、新規の顧客を獲得する可能性を高めることができる。
【０１９０】
以上により、広告主を示すデザイン（広告主のブランド名、ブランドロゴ、サービス名、キャラクター名などを含むデザイン）をモバイルバッテリーの外観としている場合に、広告主に関連するレンタルスポット（例えば、広告主がサービスを運営する店舗に設置するレンタルスポット、広告主が所有または運営する施設（競技場、テナントモール、アトラクション施設等）に設置するレンタルスポット等）のスロットに、当該広告主のデザインのモバイルバッテリーが収容される可能性を高めることができる。
【０１９１】
また、サーバ２０は、ユーザがモバイルバッテリーをレンタルする際に、モバイルバッテリーのデザインの広告主とは関連しないレンタルスポット３０において当該デザインのモバイルバッテリーを借りる（貸出を受ける）とともに、返却時において当該デザインに関連するレンタルスポット３０にモバイルバッテリーを返却することにより、ユーザに特典を付与することとしてもよい。これにより、返却を受けるレンタルスポットを設置する広告主は、顧客を獲得することができ得る。また、当該特典は、例えば割引クーポン、無料でサービスを受けられるもの等、返却を受けるレンタルスポットにおいて消費行動を伴うことにより利用できるものであってもよい。
【０１９２】
サーバ２０は、広告主から、モバイルバッテリーのレンタルサービスを運営する事業者に対して、モバイルバッテリーがレンタルされることに基づいて広告費を支払う処理をすることとしてもよい。例えば、サーバ２０は、レンタルスポット３０から、広告主に関連するデザインのモバイルバッテリーがユーザに貸し出されることにより、広告主から事業者へ広告費を支払う処理を行うこととしてもよい。
【０１９３】
また、サーバ２０は、広告主のデザインのモバイルバッテリーがレンタルされることにより、モバイルバッテリーのレンタルサービスの利用料金の一部または全部を、所定の団体に寄付するための処理を行うこととしてもよい。例えば、端末装置１０において、所定のデザインのモバイルバッテリーをレンタルした場合に、ユーザがレンタルサービスを利用した利用料金の一部または全部を、所定の団体（慈善団体、競技施設の運営者、スポーツチームの運営者など）または個人に寄付することを画像等により表示する。例えば、複数人で構成されるグループがある場合に、グループに属する特定のメンバーのデザインのモバイルバッテリーをユーザがレンタルすることにより、当該特定のメンバーに対し、ユーザの利用料金等に基づき寄付される。この場合、サーバ２０は、ユーザがレンタルサービスを利用した利用料金に基づいて広告費の額を決定し、利用料金に基づいた額を寄付するための処理を行う。
【０１９４】
また、例えば、サーバ２０は、広告主に関連するレンタルスポットから、当該広告主に関連するデザインのモバイルバッテリーをユーザがレンタルすることにより、または、広告主に関連するレンタルスポットへ、当該広告主に関連するデザインのモバイルバッテリーをユーザが返却することにより、広告主からモバイルバッテリーのレンタルサービスを運営する事業者に対して広告費を支払うよう処理することとしてもよい。この広告費は、当該ユーザが、広告主に関連するレンタルスポットが設置される店舗、施設等において支払った金額に基づいてサーバ２０等が決定することとしてもよい。例えば、ユーザが、端末装置１０により、ＱＲコード（登録商標）決済などの処理を行って、広告主に関連する店舗、施設等において消費した金額の合計をサーバ２０等が集計する。サーバ２０は、当該ユーザが、広告主に関連する店舗、施設等に設置されるレンタルスポット３０を利用してモバイルバッテリーの貸出または返却を行っている場合に、当該ユーザが消費した金額に基づいて、モバイルバッテリーのレンタルサービスを運営する事業者への広告費を算出する。例えば、サーバ２０は、当該ユーザが消費した金額のうち所定割合の額を、広告費として特定することとしてもよい。
【０１９５】
これにより、広告主の敷地内に設置したレンタルスポットへユーザを誘導し、広告主の集客率と売上を向上させ、広告主との提携関係を深めることができる。また、広告主の敷地内に設置したレンタルスポットでは、広告主に関連したデザインのモバイルバッテリーが頻繁にレンタルされているので、広告効果を向上させることができる。
【０１９６】
（ｉｉ）モバイルバッテリーのデザインは、所定ウェブページへ接続するための通信用情報を含むものであるとしてもよい。サーバ２０は、ユーザが、モバイルバッテリーのデザインに含まれる通信用情報により、所定ウェブページへ接続した場合、ユーザに特典を付与することとしてもよい。
【０１９７】
例えば、端末装置１０が、モバイルバッテリーのデザインに含まれる二次元コードを読み取って所定のウェブサイトにアクセスすることにより、当該ウェブサイトの画面をディスプレイ１３２に表示させる。ユーザが、当該画面を、店舗等の店員に提示することで、商品またはサービスのクーポンを受けられる、無料で所定のサービスを受けられる、モバイルバッテリーのレンタルサービスの利用料金を割り引く等の特典を受けられることとしてもよい。
【０１９８】
例えば、モバイルバッテリーのデザインは、所定のゲームをダウンロードするためのＱＲコード（登録商標）当の二次元コードを含む。サーバ２０は、当該二次元コードの付いたモバイルバッテリーを借りたユーザが、端末装置１０により二次元コードからゲームをダウンロードした場合に、ユーザにゲーム又はモバイルバッテリーのレンタルに使えるポイント、アイテム等の特典を付与する。
【０１９９】
また、ユーザがゲームアカウントを有している場合においても、サーバ２０は、端末装置１０が二次元コードを読み取ってサーバ２０等へアクセスすることにより、当該ゲームアカウントに関連するゲームで利用できる特典をユーザに付与することとしてもよい。当該二次元コードは、例えば、ゲームにおけるキャンペーンを特定する情報を含んでいる。これにより、ユーザは、キャンペーンで得られる特典を獲得することができる。例えば、モバイルバッテリーをレンタルすることにより、当該モバイルバッテリーをレンタルしたこと、または、当該モバイルバッテリーに印刷される二次元コードを端末装置１０で読み込むこと等により、所定のゲームで利用できるキャラクターをユーザに付与する。なお、特典内容としては、モバイルバッテリーのレンタルサービスで利用できる特典（例えば、利用料金に対するクーポン等）であってもよい。
【０２００】
また、モバイルバッテリーのデザインに含まれる二次元コードは、レンタルサービス以外のメッセンジャーなど他のサービスにおいて広告主が有するアカウント（ＳＮＳアカウント等）にアクセスするための情報を含むこととしてもよい。例えば、ユーザが、端末装置１０において、当該二次元コードを読み取り、ＳＮＳサービスを利用するためのアプリケーションを実行して、広告主に関連するアカウントをユーザと関連付ける（例えば、当該アカウントをユーザがフォローする）、広告主に関連するアカウントをユーザが拡散する（例えば、ＳＮＳサービスにおいてユーザが広告主のアカウントを含む投稿をする等）等により、ユーザに特典がサーバ２０等により付与されることとしてもよい。
【０２０１】
これにより、モバイルバッテリーのデザインに含まれる通信用情報を介して、広告主のサービスへリンクすることを促し、広告効果を向上させることができる。
【０２０２】
（ｉｉｉ）所定デザインのモバイルバッテリーを借りたユーザの端末装置に、当該デザインに関連するコンテンツを出力する。
【０２０３】
例えば、モバイルバッテリーのデザインは、所定の映画、漫画、アニメーション、ゲーム、小説等のキャラクター、タイトルロゴ等の画像を含む。ユーザは、当該キャラクター等の画像の付いたモバイルバッテリーを借りた場合に、ユーザの端末装置１０において、当該キャラクターに関連する動画を表示させることとしてもよい。例えば、端末装置１０は、サーバ２０から、ユーザが特定のデザインのモバイルバッテリーの貸出を受けたことを示す通知（貸出完了の通知など）を受信したことに応答して、当該デザインに関連する動画を表示することとしてもよい。
【０２０４】
例えば、ユーザがモバイルバッテリーをレンタル中に、モバイルバッテリーのデザインに関連するキャラクター（アニメーションに登場するキャラクター等）を端末装置１０のディスプレイ１３２に表示させて、ユーザの操作に応答して、特定の音声（キャラクターのセリフ等）を出力することとしてもよい。
【０２０５】
また、モバイルバッテリーのデザインに関連する実在の人物を端末装置１０のディスプレイ１３２に表示させて、当該人物に関連する映像を出力することとしてもよい。例えば、当該人物が、モバイルバッテリーをレンタルしたレンタルスポット３０の位置に関連する地域において行った活動（例えば、ある地域で行った講演、演技、演奏等）に関する映像を、当該デザインのモバイルバッテリーのレンタル中、または、返却後（または返却後の所定期間）において端末装置１０において出力することとしてもよい。
【０２０６】
また、モバイルバッテリーのデザインが、ある地域を拠点とした事業者である場合に、当該事業者の事業に関するゲームを端末装置１０で実行可能にしてもよい。例えば、事業者が、地域を拠点としたスポーツチームである場合に、当該スポーツに関連するミニゲームを、モバイルバッテリーのレンタル中、または、返却後において端末装置１０において実行可能であるとしてもよい。
【０２０７】
これにより、コンテンツの演出でサービスに娯楽性を持たせて、広告効果を向上させることができる。
【０２０８】
（ｉｖ）デザインは、広告用の情報であり、所定デザインのモバイルバッテリーの利用履歴を集計し、広告主に提供する。
【０２０９】
例えば、それぞれのデザインのモバイルバッテリーの利用履歴を集計し、これらのデザインによる広告効果を計測する。利用履歴としては、それぞれのデザインのモバイルバッテリーがどれだけ借りられたか、どれだけ購入されたか、どれだけＱＲコード（登録商標）が読まれたか、どれだけ広告目的のアクションが行われたか、どれだけ自社のレンタルスポットへ返却されたか、などのデータが挙げられる。サーバ２０は、広告主のユーザが操作する端末装置１０に、これら広告効果に関する情報を表示させる。つまり、サーバ２０は、広告主のユーザの端末装置１０に、広告効果のレポーティング画面を表示させる。
【０２１０】
これにより、広告効果を計測して広告主に提供することができて、広告主に活用されることが期待できる。
【０２１１】
（ｖ）特定のデザインを有するモバイルバッテリーを、レンタルスポット３０から送り出さず街中等において配布し、当該モバイルバッテリーをレンタルスポット３０へ返却すること、または、当該モバイルバッテリーのデザインに含まれる二次元コードを端末装置１０等により読み取る（例えば、当該二次元コードに示されるウェブサイトに端末装置１０がアクセスする）ことにより、ユーザに特典を付与することとしてもよい。なお、当該モバイルバッテリーのデザインに含まれる二次元コードは、モバイルバッテリーのレンタルサービスを端末装置１０で利用するためのアプリケーションへのリンクを含むこととしてもよい。サーバ２０は、当該モバイルバッテリーについて、モバイルバッテリー情報データベース２８３において管理している。
【０２１２】
なお、特定のモバイルバッテリーについては、ユーザの利用料金の支払いにかかわらず、レンタルスポット３０への返却を必須ではないこととしてもよい。例えば、キャンペーン等により特定のデザインのモバイルバッテリーを、街中で配布する、レンタルスポット３０等から提供する等した場合に、キャンペーン期間の終了以後は、ユーザが買い取り代金を支払わずとも、レンタルスポット３０への返却を不要であるとしてもよい。これにより、キャンペーン期間が終了したモバイルバッテリーがレンタルスポット３０のスロットに蓄積する可能性を下げて、新たなキャンペーンの実施時に、新たなデザインのモバイルバッテリーがレンタルされるようにする可能性をよりいっそう高めることができ得る。例えば、キャンペーンに関連するデザインのモバイルバッテリーについて、ユーザがレンタルスポット３０に返却しなかったとしても、買い取り代金をユーザに課しつつ、キャンペーンの終了時に、買い取り代金に相当する特典をユーザに付与することとしてもよい。
【０２１３】
＜変形例２＞
モバイルバッテリーレンタルシステム１は、モバイルバッテリーを借りたユーザから、当該モバイルバッテリーを購入するための操作に応答し、モバイルバッテリーを販売する処理を実行させてよい。
【０２１４】
例えば、ユーザが好みのデザインのモバイルバッテリーを借りて、自分の所有物にしようとする場合に、当該モバイルバッテリーを購入するための操作を入力し、モバイルバッテリーの買い取り代金を支払うことによって、当該モバイルバッテリーを購入し、返却不要とする。買い取り代金は、例えば、モバイルバッテリーの市場価格に応じて定めることとしてもよく、予め定められた代金を設定することとしてもよい。
【０２１５】
端末装置１０は、モバイルバッテリーを購入するためのユーザの入力操作を、モバイルバッテリーを借りてから所定期間が経過する前に受け付けることとしてもよい。ここでの所定期間は、モバイルバッテリーの最大貸出可能期間である。レンタルバッテリーサービスの料金体系として、所定期間が経過してモバイルバッテリーが返却されていない場合に、当該返却されていないことに対して、ユーザにモバイルバッテリーの買い取り代金に相当する金額を課してモバイルバッテリーの返却を不要としている。ここで、端末装置１０は、当該所定期間の経過を待たずして、ユーザから、モバイルバッテリーをユーザの所有物とするための操作（購入の操作）を受け付ける。端末装置１０は、ユーザがモバイルバッテリーをユーザの所有物とするための操作を受け付けたことに応答して、サーバ２０に対し、当該操作を受け付けたことを示す信号を送信する。サーバ２０は、端末装置１０から当該信号を受信したことに応答して、当該モバイルバッテリーがユーザの所有物となったことに基づいて、ユーザ情報データベース２８１、モバイルバッテリー情報データベース２８３等を更新する。
【０２１６】
ここで、サーバ２０は、ユーザが、特定のデザインのモバイルバッテリーをユーザの所有物としたことに応答して、当該ユーザに特典を付与することとしてもよい。当該特典は、ユーザが所有物としたモバイルバッテリーのデザインに関連する事業者に関するものとしてもよい。例えば、店舗等とコラボレーションをしたデザインのモバイルバッテリーをユーザが所有物とした場合に、サーバ２０は、当該ユーザに、店舗で利用できるクーポン、店舗で特定の製品またはサービスを受け取れる権利等の特典を付与することとしてもよい。例えば、サーバ２０は、飲食店のデザインのモバイルバッテリーをユーザの所有物としたことに基づいて、当該飲食店で利用できる割引券、当該飲食店で受け取れる追加のメニュー等を特典としてユーザに付与してもよい。
【０２１７】
また、サーバ２０は、モバイルバッテリーの貸出可能期間の経過を待たずしてユーザがモバイルバッテリーを所有物とするための操作を行ったことに対し、ユーザに特典を付与することとしてもよい。サーバ２０は、当該貸し出し可能期間の経過を待たずしてユーザがモバイルバッテリーをユーザの所有物とすることにより特典を受けられることを、端末装置１０によりユーザに通知することとしてもよい。例えば、端末装置１０は、モバイルバッテリーをレンタル中の処理として（ステップＳ６１５等）、当該貸し出し可能期間（当該期間が経過すると買い取り代金がユーザに課される）が経過するより前に、モバイルバッテリーを買い取ることが可能であることをディスプレイ１３２に表示する。
【０２１８】
これにより、独自のデザイン性を持たせることで、モバイルバッテリーを借りたユーザの購入意欲を高めて、レンタルサービスの付加価値を向上させることができる。また、早い段階での購入行為を促すことで、モバイルバッテリーをレンタルスポット３０に適宜に補充したり、レンタルサービスの運営を容易にしたりすることができる。また、コラボレーション等により、レンタルサービスにデザインを提供した事業者にとっては、ユーザがいち早く当該デザインのモバイルバッテリーを所有する操作を行ったか否か（レンタルの利用開始からユーザがモバイルバッテリーを所有する操作を行うまでの期間、または、貸出可能期間の経過を待たずしてユーザがモバイルバッテリーを所有するための操作を行ったか否か）、バッテリーを所有する操作を行った位置（端末装置１０の位置）などの各種情報の少なくともいずれかに基づいて、広告としての効果を測定することができる。
【０２１９】
＜その他の変形例＞
以上のように、モバイルバッテリーをレンタルスポット３０からレンタルすることに応答して、ユーザに対し、店舗等で利用できる特典、または、モバイルバッテリーのレンタルサービスの利用料金に対して利用できる特典を付与する例を説明した。
【０２２０】
サーバ２０は、ユーザが、レンタルスポット３０からモバイルバッテリーをレンタルすることに応答してユーザに特典を付与する場合に、端末装置１０において、貸出可能なモバイルバッテリーの数が所定数以上（例えば、１つ以上貸出可能）のレンタルスポットを、当該貸し出し可能なモバイルバッテリーの数が不足しているレンタルスポット（例えば、貸出可能なモバイルバッテリーがひとつもない）と区別して表示してもよい。これにより、ユーザが特典を受けることを意図する場合に、モバイルバッテリーをレンタルできないレンタルスポット３０を、貸出を受けるレンタルスポットの候補から除外することが容易になるため、ユーザがレンタルスポット３０を絞り込むことがよりいっそう容易になる。例えば、図８の画面例（Ａ）等において、ユーザに対し特典を提供するレンタルスポットのうち、貸出可能な数が所定数以上のレンタルスポットを強調して表示してもよい。
【０２２１】
また、ユーザに対し特典を提供するレンタルスポットにおいて、貸出可能なモバイルバッテリーの数が少なくなるにつれて、ユーザが当該レンタルスポットからモバイルバッテリーの貸出を受けることで特典を得られる可能性が低くなるおそれがある。そこで、端末装置１０において、ユーザがモバイルバッテリーを返却するためのレンタルスポット３０を検索する際に（例えば、ユーザがモバイルバッテリーをレンタル中に、レンタルスポット３０の位置を示す地図をディスプレイ１３２に表示させる）、貸出可能なモバイルバッテリーの数が所定数以下のレンタルスポット３０を強調して表示してもよいし、当該所定数以下のレンタルスポット３０にモバイルバッテリーを返却することでユーザに特典を付与することとしてもよいし、当該特典が得られることをディスプレイ１３２に表示することとしてもよい。
【０２２２】
＜付記＞
以上の各実施の形態で説明した事項を以下に付記する。
【０２２３】
（付記１）  プロセッサ（１８０、２９）を備えるコンピュータ（１０、２０）に実行させ、モバイルバッテリーのレンタルサービスを提供するためのプログラムであって、レンタルサービスは、デザインの異なるモバイルバッテリーをレンタル可能に提供しており、プログラムは、プロセッサに、ユーザがデザインを指定する操作を受け付けるステップと（Ｓ６１２、Ｓ９１２）、デザインを指定する操作に応答して、ユーザが指定したデザインのモバイルバッテリーが貸出可能なレンタルスポットをユーザに提示するステップと（Ｓ６２１、Ｓ９２１）、を実行させる、プログラム。
【０２２４】
（付記２）  プログラムは、プロセッサに、さらに、ユーザから、デザインを指定してモバイルバッテリーを借りるか、デザインを指定せずにモバイルバッテリーを借りるかの選択を受け付けるステップ（Ｓ６１２、Ｓ９１２）を実行させ、デザインを指定してモバイルバッテリーを借りるための操作をユーザから受け付けた場合に、指定したデザインのモバイルバッテリーが貸出可能なレンタルスポットをユーザに提示し（Ｓ６２１、Ｓ９２１）、デザインを指定せずにモバイルバッテリーを借りるための操作をユーザから受け付けた場合に、モバイルバッテリーのデザインにかかわらず、モバイルバッテリーが貸出可能なレンタルスポットをユーザに提示するステップ（Ｓ６２４、Ｓ９２４）を実行させる、（付記１）に記載のプログラム。
【０２２５】
（付記３）  ユーザに提示した指定したデザインのモバイルバッテリーが貸出可能なレンタルスポットから、ユーザが指定したデザインのモバイルバッテリーをユーザに貸し出す（Ｓ６１６、Ｓ６２４、Ｓ６２５）、（付記１）または（付記２）に記載のプログラム。
【０２２６】
（付記４）  ユーザに提示したレンタルスポットが貸出可能なモバイルバッテリーから、ユーザのデザインの指定にかかわらず、モバイルバッテリーのデザインを抽選して、当選したデザインのモバイルバッテリーをユーザに貸し出す（Ｓ９１６、Ｓ９２４、Ｓ９２５）、（付記１）に記載のプログラム。
【０２２７】
（付記５）ユーザが利用しているレンタルスポットが貸出可能なモバイルバッテリーから、ユーザの情報に基づいてデザインを決定して、当該デザインのモバイルバッテリーをユーザに貸し出す（Ｓ６２５、Ｓ９２５）、（付記１）に記載のプログラム。
【０２２８】
（付記６）モバイルバッテリーのデザインは、所定ブランドに関連するものであり、ユーザが、ブランドの事業者に関連付けられるレンタルスポットを利用して、当該ブランドに関連するデザインのモバイルバッテリーを借りて又は返却した場合、ユーザに特典を付与する、（付記１）から（付記５）のいずれかに記載のプログラム。
【０２２９】
（付記７）モバイルバッテリーのデザインは、所定ウェブページへ接続するための通信用情報を含み、ユーザが、モバイルバッテリーのデザインに含まれる通信用情報により、所定ウェブページへ接続する操作を行った場合、ユーザに特典を付与する、（付記１）から（付記６）のいずれかに記載のプログラム。
【０２３０】
（付記８）所定デザインのモバイルバッテリーを借りたユーザの端末装置に、当該デザインに関連するコンテンツを出力させる、（付記１）から（付記７）のいずれかに記載のプログラム。
【０２３１】
（付記９）デザインは、広告用の情報であり、所定デザインのモバイルバッテリーの利用履歴を集計し、集計結果を広告主の端末装置に提供する、（付記１）から（付記８）のいずれかに記載のプログラム。
【０２３２】
（付記１０）モバイルバッテリーを借りたユーザから、当該モバイルバッテリーを購入するための操作を受け付けており、当該操作に応答して、モバイルバッテリーをユーザの所有物とさせる処理を実行させる、（付記１）から（付記９）のいずれかに記載のプログラム。
【０２３３】
（付記１１）モバイルバッテリーを購入するための操作を、モバイルバッテリーを借りてから所定期間が経過する前において受け付ける、（付記１０）に記載のプログラム。
【符号の説明】
【０２３４】
１０  端末装置、２０  サーバ、３０  レンタルスポット、８０  ネットワーク、１３０  操作受付部（タッチスクリーン）、１７１  ユーザ情報、１８６  料金決済部、２２  通信ＩＦ、２３  入出力ＩＦ、２５  メモリ、２６  ストレージ、２９  プロセッサ、２０１  通信部、２０２  記憶部、２８１  ユーザ情報データベース、２８２  レンタルスポット情報データベース、２８３  モバイルバッテリー情報データベース、２０３制御部、３０１  通信部、３０２  記憶部、３０３制御部。
【図１】
0006875622.tif 000002
【図２】
0006875622.tif 000003
【図３】
0006875622.tif 000004
【図４】
0006875622.tif 000005
【図５】
0006875622.tif 000006
【図６】
0006875622.tif 000007
【図７】
0006875622.tif 000008
【図８】
0006875622.tif 000009
【図９】
0006875622.tif 000010
【図１０】
0006875622.tif 000011